(57)【要約】  測位基準信号が、ワイヤレス通信ネットワークの基地局（２００）からワイヤレス通信デバイス（１００）にダウンリンク方向に送信されるか、またはワイヤレス通信デバイス（１００）からワイヤレス通信ネットワークの基地局（２００）にアップリンク方向に送信される。周波数ホップパターンに従って、ワイヤレス通信デバイスの無線インターフェースが、複数の異なる周波数範囲間で切り替えられる。このようにして、ワイヤレス通信デバイス（１００）は、周波数ホップパターンによって定義された複数の異なる周波数上でダウンリンク測位基準信号を受信すること、または周波数ホップパターンによって定義された複数の異なる周波数上でアップリンク測位基準信号を送ることができる。【選択図】図１
2019527362.tif 000002
【特許請求の範囲】
【請求項１】
ワイヤレス通信デバイス（１００）についての位置測定を可能にする方法であって、前記方法は、
−  ワイヤレス通信ネットワークの基地局（２００）からダウンリンク測位基準信号（１０）を受信するための周波数ホップパターンを構成することと、
−  前記周波数ホップパターンに従って、前記ワイヤレス通信デバイス（１００）が、前記周波数ホップパターンによって定義された複数の異なる周波数上で前記ダウンリンク測位基準信号（１０）を受信するために、前記ワイヤレス通信デバイス（１００）の無線インターフェース（１１０）を複数の異なる周波数範囲間で切り替えることと、
−  前記受信されたダウンリンク測位基準信号（１０）の組み合わせられた評価によって、前記ワイヤレス通信デバイス（１００）が、前記ワイヤレス通信デバイス（１００）についての測位情報を決定することと
を含む、方法。
【請求項２】
前記ワイヤレス通信デバイス（１００）が、前記ワイヤレス通信ネットワークから受信された構成情報に基づいて、前記周波数ホップパターンを構成する、
請求項１に記載の方法。
【請求項３】
前記測位情報が、複数の異なる基地局（２００）からの前記ダウンリンク測位基準信号（１０）の到着時間差を含む、
請求項１または２に記載の方法。
【請求項４】
前記複数の異なる周波数のうちの少なくともいくつかが、前記ワイヤレス通信デバイス（１００）の前記無線インターフェース（１１０）によってサポートされる最大帯域幅超だけ分離された、
請求項１から３のいずれか一項に記載の方法。
【請求項５】
前記周波数ホップパターンが、前記無線インターフェース（１１０）によってサポートされる前記最大帯域幅よりも小さい第１の周波数ホップ距離（Ｄｆ１）と、前記無線インターフェース（１１０）によってサポートされる前記最大帯域幅よりも大きい第２の周波数ホップ距離（Ｄｆ２）とを定義する、
請求項４に記載の方法。
【請求項６】
前記周波数ホップパターンが、前記ダウンリンク測位基準信号（１０）の繰返しパターンをさらに定義する、
請求項１から５のいずれか一項に記載の方法。
【請求項７】
異なる基地局（２００）によって送信された前記ダウンリンク測位基準信号（１０）が、周波数分割多重化、時分割多重化、および符号分割多重化のうちの１つまたは複数を含む多重化方式に基づいて多重化される、
請求項１から６のいずれか一項に記載の方法。
【請求項８】
異なる基地局（２００）によって送信された前記ダウンリンク測位基準信号（１０）の周波数分割多重化のための周波数粒度が、前記ワイヤレス通信デバイス（１００）と前記ワイヤレス通信ネットワークとの間で送信されたワイヤレス通信信号の周波数分割多重化のための周波数粒度よりも細かい、
請求項１０に記載の方法。
【請求項９】
ワイヤレス通信デバイス（１００）についての位置測定を可能にする方法であって、前記方法は、
−  周波数ホップパターンを構成することであって、前記周波数ホップパターンが、前記周波数ホップパターンによって定義された複数の異なる周波数上でダウンリンク測位基準信号（１０）を受信するために、前記ワイヤレス通信デバイス（１００）の無線インターフェース（１１０）を複数の異なる周波数範囲間で切り替えるために適用される、構成することと、
−  ワイヤレス通信ネットワークの基地局（２００）が、前記周波数ホップパターンに従って前記ダウンリンク測位基準信号（１０）の第１の部分を送ることと、
−  前記基地局（２００）が、前記ワイヤレス通信ネットワークのさらなる基地局（２００）を、前記周波数ホップパターンに従って前記ダウンリンク測位基準信号（１０）の第２の部分を送るように構成することと
を含む、方法。
【請求項１０】
前記基地局（２００）が、前記周波数ホップパターンを示す構成情報を前記ワイヤレス通信デバイス（１００）に送る、
請求項９に記載の方法。
【請求項１１】
前記基地局（２００）が、前記周波数ホップパターンを示す構成情報を前記さらなる基地局（２００）に送る、
請求項９または１０に記載の方法。
【請求項１２】
前記複数の異なる周波数のうちの少なくともいくつかが、前記ワイヤレス通信デバイス（１００）の前記無線インターフェース（１１０）によってサポートされる最大帯域幅超だけ分離された、
請求項９から１１のいずれか一項に記載の方法。
【請求項１３】
前記周波数ホップパターンが、前記無線インターフェース（１１０）によってサポートされる前記最大帯域幅よりも小さい第１の周波数ホップ距離（Ｄｆ１）と、前記無線インターフェース（１１０）によってサポートされる前記最大帯域幅よりも大きい第２の周波数ホップ距離（Ｄｆ２）とを定義する、
請求項１２に記載の方法。
【請求項１４】
前記周波数ホップパターンが、前記ダウンリンク測位基準信号（１０）の繰返しパターンをさらに定義する、
請求項９から１３のいずれか一項に記載の方法。
【請求項１５】
異なる基地局（２００）によって送信された前記ダウンリンク測位基準信号（１０）が、周波数分割多重化、時分割多重化、および符号分割多重化のうちの１つまたは複数を含む多重化方式に基づいて多重化される、
請求項９から１４のいずれか一項に記載の方法。
【請求項１６】
異なる基地局（２００）によって送信された前記ダウンリンク測位基準信号（１０）の周波数分割多重化のための周波数粒度が、前記ワイヤレス通信デバイス（１００）と前記ワイヤレス通信ネットワークとの間で送信されたワイヤレス通信信号の周波数分割多重化のための周波数粒度よりも細かい、
請求項１５に記載の方法。
【請求項１７】
ワイヤレス通信デバイス（１００）についての位置測定を可能にする方法であって、前記方法は、
−  前記ワイヤレス通信デバイス（１００）からアップリンク測位基準信号（２０）を送るための周波数ホップパターンを構成することと、
−  前記周波数ホップパターンに従って、前記ワイヤレス通信デバイス（１００）が、前記周波数ホップパターンによって定義された複数の異なる周波数上で前記アップリンク測位基準信号（２０）を送るために、前記ワイヤレス通信デバイス（１００）の無線インターフェース（１１０）を複数の異なる周波数範囲間で切り替えることと
を含む、方法。
【請求項１８】
前記ワイヤレス通信デバイス（１００）が、ワイヤレス通信ネットワークから受信された構成情報に基づいて、前記周波数ホップパターンを構成する、
請求項１７に記載の方法。
【請求項１９】
前記複数の異なる周波数のうちの少なくともいくつかが、前記ワイヤレス通信デバイス（１００）の前記無線インターフェース（１１０）によってサポートされる最大帯域幅超だけ分離された、
請求項１７または１８に記載の方法。
【請求項２０】
前記周波数ホップパターンが、前記無線インターフェース（１１０）によってサポートされる前記最大帯域幅よりも小さい第１の周波数ホップ距離（Ｄｆ１）と、前記無線インターフェース（１１０）によってサポートされる前記最大帯域幅よりも大きい第２の周波数ホップ距離（Ｄｆ２）とを定義する、
請求項１９に記載の方法。
【請求項２１】
前記周波数ホップパターンが、前記アップリンク測位基準信号の繰返しパターンをさらに定義する、
請求項１７から２０のいずれか一項に記載の方法。
【請求項２２】
前記アップリンク測位基準信号（２０）と１つまたは複数の他のワイヤレス通信デバイスによって送信されたさらなるアップリンク測位基準信号とが、周波数分割多重化、時分割多重化、および符号分割多重化のうちの１つまたは複数を含む多重化方式に基づいて多重化される、
請求項１７から２１のいずれか一項に記載の方法。
【請求項２３】
前記アップリンク測位基準信号（２０）とさらなるワイヤレス通信デバイスによって送信されたさらなるアップリンク測位基準信号との周波数分割多重化のための周波数粒度が、前記ワイヤレス通信デバイス（１００）と前記ワイヤレス通信ネットワークとの間で送信されたワイヤレス通信信号の周波数分割多重化のための周波数粒度よりも細かい、
請求項２２に記載の方法。
【請求項２４】
ワイヤレス通信デバイス（１００）についての位置測定を可能にする方法であって、前記方法は、
−  周波数ホップパターンを構成することであって、前記周波数ホップパターンが、前記周波数ホップパターンによって定義された複数の異なる周波数上でアップリンク測位基準信号（２０）を送るために、前記ワイヤレス通信デバイス（１００）の無線インターフェース（１１０）を複数の異なる周波数範囲間で切り替えるために適用される、構成することと、
−  ワイヤレス通信ネットワークの基地局（２００）が、前記アップリンク測位基準信号（２０）を受信することと、
−  前記基地局（２００）が、前記ワイヤレス通信ネットワークのさらなる基地局（２００）を、前記アップリンク測位基準信号（２０）を受信することと、前記受信されたアップリンク測位基準信号（２０）から導出された情報を前記基地局（２００）に与えることとを行うように構成することと、
−  前記受信されたアップリンク測位基準信号（２０）の組み合わせられた評価と前記さらなる基地局（２００）によって与えられた前記情報とによって、前記基地局（２００）が前記ワイヤレス通信デバイス（１００）についての測位情報を決定することと
を含む、方法。
【請求項２５】
前記基地局（２００）が、前記周波数ホップパターンを示す構成情報を前記ワイヤレス通信デバイス（１００）に送る、
請求項２４に記載の方法。
【請求項２６】
前記基地局（２００）が、前記周波数ホップパターンを示す構成情報を前記さらなる基地局（２００）に送る、
請求項２４または２５に記載の方法。
【請求項２７】
前記測位情報が、複数の異なる基地局（２００）における前記アップリンク測位基準信号（２０）の到着時間差を含む、
請求項２４から２６のいずれか一項に記載の方法。
【請求項２８】
前記複数の異なる周波数のうちの少なくともいくつかが、前記ワイヤレス通信デバイス（１００）の前記無線インターフェース（１１０）によってサポートされる最大帯域幅超だけ分離された、
請求項２４から２７のいずれか一項に記載の方法。
【請求項２９】
前記周波数ホップパターンが、前記無線インターフェース（１１０）によってサポートされる前記最大帯域幅よりも小さい第１の周波数ホップ距離（Ｄｆ１）と、前記無線インターフェース（１１０）によってサポートされる前記最大帯域幅よりも大きい第２の周波数ホップ距離（Ｄｆ２）とを定義する、
請求項２８に記載の方法。
【請求項３０】
前記周波数ホップパターンが、前記アップリンク測位基準信号の繰返しパターンをさらに定義する、
請求項２４から２９のいずれか一項に記載の方法。
【請求項３１】
前記アップリンク測位基準信号（２０）と１つまたは複数の他のワイヤレス通信デバイスによって送信されたさらなるアップリンク測位基準信号とが、周波数分割多重化、時分割多重化、および符号分割多重化のうちの１つまたは複数を含む多重化方式に基づいて多重化される、
請求項２４から３０のいずれか一項に記載の方法。
【請求項３２】
前記アップリンク測位基準信号（２０）とさらなるワイヤレス通信デバイスによって送信されたさらなるアップリンク測位基準信号との周波数分割多重化のための周波数粒度が、前記ワイヤレス通信デバイス（１００）と前記ワイヤレス通信ネットワークとの間で送信されたワイヤレス通信信号の周波数分割多重化のための周波数粒度よりも細かい、
請求項３１に記載の方法。
【請求項３３】
ワイヤレス通信デバイス（１００）であって、
ワイヤレス通信ネットワークに接続するための無線インターフェース（１１０）と、
少なくとも１つのプロセッサ（１４０）とを備え、
前記少なくとも１つのプロセッサ（１４０）が、
−  前記ワイヤレス通信ネットワークの基地局（２００）からダウンリンク測位基準信号（１０）を受信するための周波数ホップパターンを構成することと、
−  前記周波数ホップパターンに従って、前記周波数ホップパターンによって定義された複数の異なる周波数上で前記ダウンリンク測位基準信号（１０）を受信するために、前記ワイヤレス通信デバイス（１００）の前記無線インターフェース（１１０）を複数の異なる周波数範囲間で切り替えることと、
−  前記受信されたダウンリンク測位基準信号（１０）の組み合わせられた評価によって、前記ワイヤレス通信デバイス（１００）についての測位情報を決定することと
を行うように構成された、ワイヤレス通信デバイス（１００）。
【請求項３４】
前記少なくとも１つのプロセッサ（１４０）が、請求項１から８のいずれか一項に記載の方法のステップを実施するように構成された、
請求項２３に記載のワイヤレス通信デバイス（１００）。
【請求項３５】
ワイヤレス通信ネットワークのための基地局（２００）であって、前記基地局（２００）が、
ワイヤレス通信デバイス（１００）に接続するための無線インターフェース（２１０）と、
前記ワイヤレス通信ネットワークのさらなる基地局（２００）に接続するためのネットワークインターフェース（２２０）と、
少なくとも１つのプロセッサ（２４０）とを備え、
前記少なくとも１つのプロセッサ（２４０）が、
−  周波数ホップパターンを構成することであって、前記周波数ホップパターンが、前記周波数ホップパターンによって定義された複数の異なる周波数上でダウンリンク測位基準信号（１０）を受信するために、前記ワイヤレス通信デバイス（１００）の無線インターフェース（１１０）を複数の異なる周波数範囲間で切り替えるために適用される、構成することと、
−  前記基地局（２００）の前記無線インターフェース（２１０）を介して、前記周波数ホップパターンに従って前記ダウンリンク測位基準信号（１０）の第１の部分を送ることと、
−  前記ネットワークインターフェース（２２０）を介して、前記ワイヤレス通信ネットワークのさらなる基地局（２００）を、前記周波数ホップパターンに従って前記ダウンリンク測位基準信号（１０）の第２の部分を送るように構成することと
を行うように構成された、基地局（２００）。
【請求項３６】
前記少なくとも１つのプロセッサ（２４０）が、請求項９から１６のいずれか一項に記載の方法のステップを実施するように構成された、
請求項３５に記載の基地局（２００）。
【請求項３７】
請求項３５または３６に記載の基地局（２００）と、
ワイヤレス通信デバイス（１００）と
を備える、システム。
【請求項３８】
ワイヤレス通信デバイス（１００）であって、
ワイヤレス通信ネットワークに接続するための無線インターフェース（１１０）と、
少なくとも１つのプロセッサ（１４０）とを備え、
前記少なくとも１つのプロセッサ（１４０）が、
−  前記ワイヤレス通信デバイス（１００）からアップリンク測位基準信号（２０）を送るための周波数ホップパターンを構成することと、
−  前記周波数ホップパターンに従って、前記周波数ホップパターンによって定義された複数の異なる周波数上で前記アップリンク測位基準信号（２０）を送るために、前記ワイヤレス通信デバイス（１００）の前記無線インターフェースを複数の異なる周波数範囲間で切り替えることと
を行うように構成された、ワイヤレス通信デバイス（１００）。
【請求項３９】
前記少なくとも１つのプロセッサ（１４０）が、請求項１７から２３のいずれか一項に記載の方法のステップを実施するように構成された、
請求項３８に記載のワイヤレス通信デバイス（１００）。
【請求項４０】
ワイヤレス通信ネットワークのための基地局（２００）であって、前記基地局（２００）が、
ワイヤレス通信デバイス（１００）に接続するための無線インターフェース（２１０）と、
前記ワイヤレス通信ネットワークのさらなる基地局（２００）に接続するためのネットワークインターフェース（２２０）と、
少なくとも１つのプロセッサ（２４０）とを備え、
前記少なくとも１つのプロセッサ（２４０）が、
−  周波数ホップパターンを構成することであって、前記周波数ホップパターンが、前記周波数ホップパターンによって定義された複数の異なる周波数上でアップリンク測位基準信号（２０）を送るために、前記ワイヤレス通信デバイス（１００）の無線インターフェース（１１０）を複数の異なる周波数範囲間で切り替えるために適用される、構成することと、
−  前記基地局（２００）の前記無線インターフェース（２１０）を介して、前記アップリンク測位基準信号（２０）を受信することと、
−  前記ネットワークインターフェース（２２０）を介して、前記ワイヤレス通信ネットワークのさらなる基地局（２００）を、前記アップリンク測位基準信号（２０）を受信することと、前記受信されたアップリンク測位基準信号から導出された情報を前記基地局（２００）に与えることとを行うように構成することと、
−  前記受信されたアップリンク測位基準信号（２０）の組み合わせられた評価と前記さらなる基地局（２００）によって与えられた前記情報とによって、前記ワイヤレス通信デバイス（１００）についての測位情報を決定することと
を行うように構成された、基地局（２００）。
【請求項４１】
前記少なくとも１つのプロセッサ（２４０）が、請求項２４から３２のいずれか一項に記載の方法のステップを実施するように構成された、
請求項４０に記載の基地局（２００）。
【請求項４２】
請求項４０または４１に記載の基地局（２００）と、
ワイヤレス通信デバイス（１００）と
を備える、システム。
【発明の詳細な説明】
【技術分野】
【０００１】
本発明は、ワイヤレス通信ネットワークにおけるデバイスについての測位測定を可能にするための方法と、対応するデバイスおよびシステムとに関する。
【背景技術】
【０００２】
３ＧＰＰ（第３世代パートナーシッププロジェクト）によって指定されたＬＴＥ（ロングタームエボリューション）無線アクセス技術に基づくセルラーネットワークなど、ワイヤレス通信ネットワークでは、（ユーザ機器または「ＵＥ」とも呼ばれる）ワイヤレス通信デバイスは、ｅＮＢ（発展型ノードＢ）と呼ばれる基地局からＵＥにダウンリンク方向に送信された測位基準信号（ＰＲＳ：ｐｏｓｉｔｉｏｎｉｎｇ  ｒｅｆｅｒｅｎｃｅ  ｓｉｇｎａｌ）に基づいて、位置を特定され得る。ＵＥは、ＰＲＳを受信し、次いで、受信されたＰＲＳに基づいて到着タイミング差（ＴＤＯＡ：ｔｉｍｉｎｇ  ｄｉｆｆｅｒｅｎｃｅ  ｏｆ  ａｒｒｉｖａｌ）測定を実施する。測定結果はＵＥからロケーションサーバに送信され、ロケーションサーバは測定結果からＵＥの位置を推定する。さらなる可能性は、ＵＥによって送信されたサウンディング基準信号（ＳＲＳ：ｓｏｕｎｄｉｎｇ  ｒｅｆｅｒｅｎｃｅ  ｓｉｇｎａｌ）を使用することである。この場合、複数のｅＮＢが、ＵＥによって送信されたＳＲＳに対してＴＤＯＡ測定を実施し得る。この場合も、測定結果はロケーションサーバに与えられ得、ロケーションサーバは測定結果からＵＥの位置を推定する。
【０００３】
ＰＲＳおよびＳＲＳは、一般に、ＬＴＥシステム帯域幅全体にわたって分散される。ＬＴＥ無線リソースへのＰＲＳおよびＳＲＳのマッピングは、３ＧＰＰ  ＴＳ  ３６．２１１  Ｖ１３．２（２０１６−０６）において定義されている。しかしながら、この広範囲にわたる分散は、ＬＴＥシステム帯域幅全体をサポートするとは限らないいくつかのＵＥタイプ、たとえば、マシン型通信（ＭＴＣ：Ｍａｃｈｉｎｅ  Ｔｙｐｅ  Ｃｏｍｍｕｎｉｃａｔｉｏｎ）デバイスおよび狭帯域モノのインターネット（ＮＢ−ＩｏＴ：Ｎａｒｒｏｗ−ｂａｎｄ  Ｉｎｔｅｒｎｅｔ  ｏｆ  Ｔｈｉｎｇｓ）デバイスにとって問題になり得る。これは、たとえば、可能なＰＲＳまたはＳＲＳのサブセットのみが測位測定のために利用され得るという影響を有し得、測位精度が低減される。
【０００４】
したがって、ワイヤレス通信デバイスについての位置測定を効率的に可能にすることを図る技法が必要である。
【発明の概要】
【０００５】
一実施形態によれば、ワイヤレス通信デバイスについての位置測定を可能にする方法が提供される。本方法によれば、ワイヤレス通信ネットワークの基地局からダウンリンク（ＤＬ）測位基準信号を受信するための周波数ホップパターン（ｆｒｅｑｕｅｎｃｙ  ｈｏｐ  ｐａｔｔｅｒｎ）が構成される。周波数ホップパターンに従って、ワイヤレス通信デバイスは、周波数ホップパターンによって定義された複数の異なる周波数上でＤＬ測位基準信号を受信するために、ワイヤレス通信デバイスの無線インターフェースを複数の異なる周波数範囲間で切り替える。受信されたＤＬ測位基準信号の組み合わせられた評価によって、ワイヤレス通信デバイスは、ワイヤレス通信デバイスについての測位情報を決定する。したがって、ＤＬ測位基準信号は、無線インターフェースが限られた帯域幅のみをサポートする場合でも、広い周波数範囲にわたって分散される周波数上で受信され得る。特に、ワイヤレス通信デバイスの無線インターフェースがワイヤレス通信ネットワークのシステム帯域幅内の狭帯域幅のみをサポートする場合でも、ＤＬ測位基準信号は、この狭帯域幅よりも広い周波数範囲にわたって分散され得る。これは、周波数選択性フェージングなど、周波数依存外乱の影響を低減することを図り得る。その結果、改善された測位精度が達成され得る。
【０００６】
一実施形態によれば、ワイヤレス通信デバイスは、ワイヤレス通信ネットワークから受信された構成情報に基づいて、ＤＬ測位基準信号のための周波数ホップパターンを構成する。たとえば、構成情報は、基地局のうちの１つによって与えられ得る。しかしながら、いくつかのシナリオでは、ワイヤレス通信デバイスが、周波数ホップパターンをローカルに決定し、次いで、たとえば、対応する構成情報をワイヤレス通信ネットワークの基地局に送信することによって、周波数ホップパターンをワイヤレス通信ネットワークに示すことも可能であることに留意されたい。構成情報を送信することによって、ワイヤレス通信デバイスおよびワイヤレス通信ネットワークは、フレキシブルな様式で、たとえば現在の動作状態を考慮に入れて、ＤＬ測位基準信号のための周波数ホップパターンを構成し得る。
【０００７】
一実施形態によれば、測位情報は、複数の異なる基地局からのＤＬ測位基準信号の到着時間差（ｔｉｍｅ−ｄｉｆｆｅｒｅｎｃｅ  ｏｆ  ａｒｒｉｖａｌ）を含む。したがって、測定結果は、これにより、既存のＰＲＳベース測位機構と同様の様式で報告および評価され得るので、低実装労力が達成され得る。
【０００８】
さらなる実施形態によれば、ワイヤレス通信デバイスについての位置測定を可能にする方法が提供される。本方法によれば、周波数ホップパターンが構成される。周波数ホップパターンは、周波数ホップパターンによって定義された複数の異なる周波数上でＤＬ測位基準信号を受信するために、ワイヤレス通信デバイスの無線インターフェースを複数の異なる周波数範囲間で切り替えるために適用されることになる。ワイヤレス通信ネットワークの基地局は、周波数ホップパターンに従ってＤＬ測位基準信号の第１の部分を送る。さらに、基地局は、ワイヤレス通信ネットワークのさらなる基地局を、周波数ホップパターンに従ってＤＬ測位基準信号の第２の部分を送るように構成する。
【０００９】
一実施形態によれば、基地局は、ＤＬ測位基準信号のための周波数ホップパターンを示す構成情報をワイヤレス通信デバイスに送る。しかしながら、いくつかのシナリオでは、基地局が、ワイヤレス通信デバイスから受信された構成情報に基づいてＤＬ測位基準信号のための周波数ホップパターンを構成することも可能であることに留意されたい。したがって、ワイヤレス通信デバイスは、ＤＬ測位基準信号のための周波数ホップパターンをローカルに決定し、次いで、周波数ホップパターンをワイヤレス通信ネットワークに示し得る。構成情報を送信することによって、ワイヤレス通信デバイスおよびワイヤレス通信ネットワークは、フレキシブルな様式で、たとえば現在の動作状態を考慮に入れて、ＤＬ測位基準信号のための周波数ホップパターンを構成し得る。
【００１０】
一実施形態によれば、基地局は、ＤＬ測位基準信号のための周波数ホップパターンを示す構成情報をさらなる基地局に送る。構成情報をさらなる基地局に送信することによって、基地局およびさらなる基地局によって適用される、ＤＬ測位基準信号のための周波数ホップパターンは、フレキシブルな様式で、たとえば現在の動作状態を考慮に入れて、構成され得る。
【００１１】
さらなる実施形態によれば、ワイヤレス通信デバイスが提供される。本ワイヤレス通信デバイスは、ワイヤレス通信ネットワークに接続するための無線インターフェースを備える。さらに、本ワイヤレス通信デバイスは、少なくとも１つのプロセッサを備える。少なくとも１つのプロセッサは、
−  ワイヤレス通信ネットワークの基地局からＤＬ測位基準信号を受信するための周波数ホップパターンを構成することと、
−  周波数ホップパターンに従って、周波数ホップパターンによって定義された複数の異なる周波数上でＤＬ測位基準信号を受信するために、ワイヤレス通信デバイスの無線インターフェースを複数の異なる周波数範囲間で切り替えることと、
−  受信されたダウンリンク測位基準信号の組み合わせられた評価によって、ワイヤレス通信デバイスについての測位情報を決定することと
を行うように構成される。
【００１２】
ワイヤレス通信デバイスの少なくとも１つのプロセッサは、上記の方法のステップを実施するように構成され得る。特に、少なくとも１つのプロセッサは、ワイヤレス通信ネットワークから受信された構成情報に基づいて、ＤＬ測位基準信号のための周波数ホップパターンを構成するように構成され得る。さらに、少なくとも１つのプロセッサは、複数の異なる基地局からのＤＬ測位基準信号の到着時間差を含むように測位情報を決定するよう構成され得る。
【００１３】
さらなる実施形態によれば、ワイヤレス通信ネットワークのための基地局が提供される。本基地局は、ワイヤレス通信デバイスに接続するための無線インターフェースと、ワイヤレス通信ネットワークのさらなる基地局に接続するためのネットワークインターフェースとを備える。さらに、本基地局は、少なくとも１つのプロセッサを備える。少なくとも１つのプロセッサは、
−  周波数ホップパターンを構成することであって、周波数ホップパターンは、周波数ホップパターンによって定義された複数の異なる周波数上でＤＬ測位基準信号を受信するために、ワイヤレス通信デバイスの無線インターフェースを複数の異なる周波数範囲間で切り替えるために適用される、構成することと、
−  基地局の無線インターフェースを介して、周波数ホップパターンに従ってＤＬ測位基準信号の第１の部分を送ることと、
−  ネットワークインターフェースを介して、ワイヤレス通信ネットワークのさらなる基地局を、周波数ホップパターンに従ってＤＬ測位基準信号の第２の部分を送るように構成することと
を行うように構成される。
【００１４】
基地局の少なくとも１つのプロセッサは、上記の方法のステップを実施するように構成され得る。特に、少なくとも１つのプロセッサは、ＤＬ測位基準信号のための周波数ホップパターンを示す構成情報をワイヤレス通信デバイスに送るように構成され得る。これは、無線インターフェースを介して達成され得る。さらに、少なくとも１つのプロセッサは、ＤＬ測位基準信号のための周波数ホップパターンを示す構成情報をさらなる基地局に送るように構成され得る。これは、ネットワークインターフェースを介して達成され得る。
【００１５】
さらなる実施形態によれば、システムが提供される。本システムは、上記の実施形態による基地局を備える。さらに、本システムは、ワイヤレス通信デバイスを備える。
【００１６】
方法、ワイヤレス通信デバイス、基地局、またはシステムの上記の実施形態では、ＤＬ測位基準信号のための複数の異なる周波数のうちの少なくともいくつかは、ワイヤレス通信デバイスの無線インターフェースによってサポートされる最大帯域幅超だけ分離され得る。したがって、ＤＬ測位基準信号のための周波数ダイバーシティは、ワイヤレス通信デバイスの無線インターフェースによってサポートされる最大帯域幅を越えて拡張され得る。
【００１７】
ＤＬ測位基準信号のための周波数ホップパターンは、無線インターフェースによってサポートされる最大帯域幅よりも大きい第１の周波数ホップ距離と、無線インターフェースによってサポートされる最大帯域幅よりも小さい第２の周波数ホップ距離とを定義し得る。このようにして、ＤＬ測位基準信号のために使用される複数の異なる周波数は、効率的に分散され得る。
【００１８】
ＤＬ測位基準信号の周波数ホップパターンは、ＤＬ測位基準信号の繰返しパターンをさらに定義し得る。繰返しパターンによって、ＤＬ測位基準信号の繰り返される送信が、測位精度を向上させるために利用され得る。
【００１９】
異なる基地局によって送信されたＤＬ測位基準信号は、周波数分割多重化、時分割多重化、および符号分割多重化のうちの１つまたは複数を含む多重化方式に基づいて多重化され得る。このようにして、利用可能な無線リソースが、効率的な様式で利用され得る。いくつかの実施形態では、異なる基地局によって送信されたＤＬ測位基準信号の周波数分割多重化のための周波数粒度が、ワイヤレス通信デバイスとワイヤレス通信ネットワークとの間で送信されたワイヤレス通信信号の周波数分割多重化のための周波数粒度よりも細かくなり得る。このようにして、利用可能な無線リソースが、ＤＬ測位基準信号の送信のために効率的な様式で利用され得る。
【００２０】
さらなる実施形態によれば、ワイヤレス通信デバイスについての位置測定を可能にする方法が提供される。本方法によれば、ワイヤレス通信デバイスからアップリンク（ＵＬ）測位基準信号を送るための周波数ホップパターンが構成される。周波数ホップパターンに従って、ワイヤレス通信デバイスは、周波数ホップパターンによって定義された複数の異なる周波数上でＵＬ測位基準信号を送るために、ワイヤレス通信デバイスの無線インターフェースを複数の異なる周波数範囲間で切り替える。したがって、ＵＬ測位基準信号は、無線インターフェースが限られた帯域幅のみをサポートする場合でも、広い周波数範囲にわたって分散される周波数上で送られ得る。これは、周波数選択性フェージングなど、周波数依存外乱の影響を低減することを図り得る。その結果、改善された測位精度が達成され得る。
【００２１】
一実施形態によれば、ワイヤレス通信デバイスは、ワイヤレス通信ネットワークから受信された構成情報に基づいて、ＵＬ測位基準信号のための周波数ホップパターンを構成する。たとえば、構成情報は、基地局のうちの１つによって与えられ得る。しかしながら、いくつかのシナリオでは、ワイヤレス通信デバイスは、ＵＬ測位基準信号のための周波数ホップパターンをローカルに決定し、次いで、たとえば、対応する構成情報をワイヤレス通信ネットワークの基地局に送信することによって、周波数ホップパターンをワイヤレス通信ネットワークに示すことも可能であることに留意されたい。構成情報を送信することによって、ワイヤレス通信デバイスおよびワイヤレス通信ネットワークは、フレキシブルな様式で、たとえば現在の動作状態を考慮に入れて、ＵＬ測位基準信号のための周波数ホップパターンを構成し得る。
【００２２】
さらなる実施形態によれば、ワイヤレス通信デバイスについての位置測定を可能にする方法が提供される。本方法によれば、周波数ホップパターンが構成される。周波数ホップパターンは、周波数ホップパターンによって定義された複数の異なる周波数上でＵＬ測位基準信号を送るために、ワイヤレス通信デバイスの無線インターフェースを複数の異なる周波数範囲間で切り替えるために適用されることになる。ワイヤレス通信ネットワークの基地局は、ＵＬ測位基準信号を受信する。さらに、基地局は、ワイヤレス通信ネットワークのさらなる基地局を、ＵＬ測位基準信号を受信することと、受信されたＵＬ測位基準信号から導出された情報を基地局に与えることとを行うように構成する。受信されたＵＬ測位基準信号の組み合わせられた評価とさらなる基地局によって与えられた情報とによって、ワイヤレス通信デバイスについての測位情報を決定する。
【００２３】
一実施形態によれば、基地局は、ＵＬ測位基準信号のための周波数ホップパターンを示す構成情報をワイヤレス通信デバイスに送る。しかしながら、いくつかのシナリオでは、基地局は、ワイヤレス通信デバイスから受信された構成情報に基づいて、ＵＬ測位基準信号のための周波数ホップパターンを構成することも可能であることに留意されたい。したがって、ワイヤレス通信デバイスは、ＵＬ測位基準信号のための周波数ホップパターンをローカルに決定し、次いで、周波数ホップパターンをワイヤレス通信ネットワークに示し得る。構成情報を送信することによって、ワイヤレス通信デバイスおよびワイヤレス通信ネットワークは、フレキシブルな様式で、たとえば現在の動作状態を考慮に入れて、ＵＬ測位基準信号のための周波数ホップパターンを構成し得る。
【００２４】
一実施形態によれば、基地局は、ＵＬ測位基準信号のための周波数ホップパターンを示す構成情報をさらなる基地局に送る。構成情報をさらなる基地局に送信することによって、基地局およびさらなる基地局によって適用される、ＵＬ測位基準信号のための周波数ホップパターンは、フレキシブルな様式で、たとえば現在の動作状態を考慮に入れて、構成され得る。
【００２５】
一実施形態によれば、測位情報は、複数の異なる基地局におけるＵＬ測位基準信号の到着時間差を含む。したがって、測定結果は、これにより、既存のＳＲＳベース測位機構と同様の様式で報告および評価され得るので、低実装労力が達成され得る。
【００２６】
さらなる実施形態によれば、ワイヤレス通信デバイスが提供される。本ワイヤレス通信デバイスは、ワイヤレス通信ネットワークに接続するための無線インターフェースを備える。さらに、本ワイヤレス通信デバイスは、少なくとも１つのプロセッサを備える。少なくとも１つのプロセッサは、
−  ワイヤレス通信デバイスからＵＬ測位基準信号を送るための周波数ホップパターンを構成することと、
−  周波数ホップパターンに従って、周波数ホップパターンによって定義された複数の異なる周波数上でＵＬ測位基準信号を送るために、ワイヤレス通信デバイスの無線インターフェースを複数の異なる周波数範囲間で切り替えることと
を行うように構成される。
【００２７】
ワイヤレス通信デバイスの少なくとも１つのプロセッサは、上記の方法のステップを実施するように構成され得る。特に、少なくとも１つのプロセッサは、ワイヤレス通信ネットワークから受信された構成情報に基づいて、ＵＬ測位基準信号のための周波数ホップパターンを構成するように構成され得る。
【００２８】
さらなる実施形態によれば、ワイヤレス通信ネットワークのための基地局が提供される。本基地局は、ワイヤレス通信デバイスに接続するための無線インターフェースと、ワイヤレス通信ネットワークのさらなる基地局に接続するためのネットワークインターフェースとを備える。さらに、本基地局は、少なくとも１つのプロセッサを備える。少なくとも１つのプロセッサは、
−  周波数ホップパターンを構成することであって、周波数ホップパターンは、周波数ホップパターンによって定義された複数の異なる周波数上でＵＬ測位基準信号を送るために、ワイヤレス通信デバイスの無線インターフェースを複数の異なる周波数範囲間で切り替えるために適用される、構成することと、
−  基地局の無線インターフェースを介して、ＵＬ測位基準信号を受信することと、
−  ネットワークインターフェースを介して、ワイヤレス通信ネットワークのさらなる基地局を、ＵＬ測位基準信号を受信することと、受信されたアップリンク測位基準信号から導出された情報を基地局に与えることとを行うように構成することと、
−  受信されたＵＬ測位基準信号の組み合わせられた評価とさらなる基地局によって与えられた情報とによって、ワイヤレス通信デバイスについての測位情報を決定することと
を行うように構成される。
【００２９】
少なくとも１つのプロセッサは、上記の方法のステップを実施するように構成され得る。特に、少なくとも１つのプロセッサは、ＵＬ測位基準信号のための周波数ホップパターンを示す構成情報をワイヤレス通信デバイスに送るように構成され得る。これは、無線インターフェースを介して達成され得る。さらに、少なくとも１つのプロセッサは、ＵＬ測位基準信号のための周波数ホップパターンを示す構成情報をさらなる基地局に送るように構成され得る。これは、ネットワークインターフェースを介して達成され得る。
【００３０】
さらなる実施形態によれば、システムが提供される。本システムは、上記の実施形態による基地局を備える。さらに、本システムは、ワイヤレス通信デバイスを備える。
【００３１】
方法、ワイヤレス通信デバイス、基地局、またはシステムの上記の実施形態では、ＵＬ測位基準信号のための複数の異なる周波数のうちの少なくともいくつかは、ワイヤレス通信デバイスの無線インターフェースによってサポートされる最大帯域幅超だけ分離され得る。したがって、ＵＬ測位基準信号のための周波数ダイバーシティは、ワイヤレス通信デバイスの無線インターフェースによってサポートされる最大帯域幅を越えて拡張され得る。
【００３２】
ＵＬ測位基準信号のための周波数ホップパターンは、無線インターフェースによってサポートされる最大帯域幅よりも大きい第１の周波数ホップ距離と、無線インターフェースによってサポートされる最大帯域幅よりも小さい第２の周波数ホップ距離とを定義し得る。このようにして、ＵＬ測位基準信号のために使用される複数の異なる周波数は、効率的に分散され得る。
【００３３】
周波数ホップパターンＵＬ測位基準信号は、ＵＬ測位基準信号の繰返しパターンをさらに定義し得る。繰返しパターンによって、ＵＬ測位基準信号の繰り返される送信が、測位精度を向上させるために利用され得る。
【００３４】
異なるワイヤレス通信デバイスによって送信されたＵＬ測位基準信号は、周波数分割多重化、時分割多重化、および符号分割多重化のうちの１つまたは複数を含む多重化方式に基づいて多重化され得る。このようにして、利用可能な無線リソースが、効率的な様式で利用され得る。いくつかの実施形態では、異なるワイヤレス通信デバイスによって送信されたＵＬ測位基準信号の周波数分割多重化のための周波数粒度が、ワイヤレス通信デバイスとワイヤレス通信ネットワークとの間で送信されたワイヤレス通信信号の周波数分割多重化のための周波数粒度よりも細かくなり得る。このようにして、利用可能な無線リソースが、ＵＬ測位基準信号の送信のために効率的な様式で利用され得る。
【００３５】
次に、添付の図面を参照しながら、本発明の上記の実施形態およびさらなる実施形態がより詳細に説明される。
【図面の簡単な説明】
【００３６】
【図１】本発明の一実施形態による、ＤＬ測位基準信号に基づく測位測定を概略的に示す図である。
【図２】本発明の一実施形態による、ＤＬ測位基準信号のための周波数ホップパターンを概略的に示す図である。
【図３】本発明の一実施形態による、ＤＬ測位基準信号のためのさらなる周波数ホップパターンを概略的に示す図である。
【図４】本発明の一実施形態による、ＤＬ測位基準信号のためのさらなる周波数ホップパターンを概略的に示す図である。
【図５】本発明の一実施形態による、ＤＬ測位基準信号のためのさらなる周波数ホップパターンを概略的に示す図である。
【図６】本発明の一実施形態による、ＤＬ測位基準信号のための周波数分割多重化を概略的に示す図である。
【図７】本発明の一実施形態による、ＵＬ測位基準信号に基づく測位測定を概略的に示す図である。
【図８】本発明の一実施形態による、ＵＬ測位基準信号のための周波数ホップパターンを概略的に示す図である。
【図９】本発明の一実施形態による、ＵＬ測位基準信号のためのさらなる周波数ホップパターンを概略的に示す図である。
【図１０】本発明の一実施形態による、ＵＬ測位基準信号のためのさらなる周波数ホップパターンを概略的に示す図である。
【図１１】本発明の一実施形態による、ＵＬ測位基準信号のためのさらなる周波数ホップパターンを概略的に示す図である。
【図１２】本発明の一実施形態による、ＵＬ測位基準信号のための周波数分割多重化を概略的に示す図である。
【図１３】ワイヤレス通信デバイスによって実装され得る、本発明の一実施形態による方法を示すためのフローチャートである。
【図１４】基地局によって実装され得る、本発明の一実施形態によるさらなる方法を示すためのフローチャートである。
【図１５】ワイヤレス通信デバイスによって実装され得る、本発明の一実施形態によるさらなる方法を示すためのフローチャートである。
【図１６】基地局によって実装され得る、本発明の一実施形態によるさらなる方法を示すためのフローチャートである。
【図１７】本発明の一実施形態による、ワイヤレス通信デバイスのプロセッサベース実装形態を概略的に示す図である。
【図１８】本発明の一実施形態による、基地局のプロセッサベース実装形態を概略的に示す図である。
【発明を実施するための形態】
【００３７】
以下では、本発明の例示的な実施形態がより詳細に説明される。以下の説明は、単に本発明の原理を示す目的で与えられ、限定的な意味にとられてはならないことを理解されるべきである。むしろ、本発明の範囲は、添付の特許請求の範囲によってのみ規定され、以下で説明される例示的な実施形態によって制限されるものではない。
【００３８】
図示の実施形態は、以下では「ＵＥ」とも呼ばれる、ワイヤレス通信デバイスについての測位測定を可能にすることに関する。測位測定は、ワイヤレス通信ネットワークの基地局によって送信されたＤＬ測位基準信号および／またはＵＥによって送信されたＵＬ測位基準信号に基づく。ＵＥの無線インターフェースの制限、たとえば、帯域幅制限に対処するために、ＤＬ測位基準信号またはＵＬ測位基準信号の送信および受信は、複数の異なる周波数を定義する周波数ホップパターンに基づく。この周波数ホップパターンを使用して、ＵＥは、それの無線インターフェースを複数の周波数範囲間で切り替える。このようにして、ＵＥは、無線インターフェースによってサポートされる最大帯域幅によって制限されない複数の異なる周波数上でＤＬ測位基準信号を受信すること、または無線インターフェースによってサポートされる最大帯域幅によって制限されない複数の異なる周波数上でＵＬ測位基準信号を送ることができる。その結果、ＤＬ測位基準信号のためのまたはＵＬ測位基準信号のための周波数ダイバーシティが拡張され得、測位精度が改善した。
【００３９】
図１は、ワイヤレス通信ネットワークの異なる基地局２００によって送信されたＤＬ測位基準信号１０に基づく、ＵＥ１００についての測位測定を概略的に示す。基地局２００のうちの１つ、たとえば、「ＢＳ１」で指定された基地局は、ＵＥ１００のサービング基地局であると仮定される。サービング基地局２００を介して、ＵＥ１００は、ワイヤレス通信ネットワークに接続される。他の基地局２００は、ネイバリング基地局であると仮定される。
【００４０】
図示のように、基地局２００の各々がＤＬ測位基準信号１０を送信する。異なる基地局２００によって送信されたＤＬ測位基準信号１０は、周波数分割多重化、時分割多重化、および／または符号分割多重化を使用して多重化され得る。ＤＬ測位基準信号１０は、２つのトレーニングシンボル間の差動動作に基づき得、Ｚａｄｏｆｆ−Ｃｈｕシーケンスに基づいて生成され得る。ＤＬ測位基準信号１０は、基地局２００のカバレージ領域内のあらゆるＵＥによって受信され得るブロードキャスト信号であり得る。しかしながら、ＵＥ固有ＤＬ測位基準信号を利用することも考えられる。
【００４１】
ＵＥ１００は、ＤＬ測位基準信号１０を受信し、受信されたＤＬ測位基準信号１０を評価する。たとえば、ＵＥ１００は、ローカルに生成された信号との、受信されたＤＬ測位基準信号１０の相互相関を実施し、それにより、ＤＬ測位基準信号１０についての伝搬遅延を推定し得る。これは、同じ基地局２００からのＤＬ測位基準信号１０の複数の送信を平均化および／または相関させることをも伴い得る。ＵＥ１００は、追加または代替として、ＤＬ測位基準信号１０の伝搬遅延を推定するためにＰＤＰ（電力遅延プロファイル：Ｐｏｗｅｒ  Ｄｅｌａｙ  Ｐｒｏｆｉｌｅ）をも利用し得る。異なる基地局２００からのＤＬ測位基準信号１０の伝搬遅延または相互相関から、ＵＥ１０は、次いで、たとえば、サービング基地局２００について取得された伝搬遅延から、ネイバリング基地局２００の各々について取得された伝搬遅延を減算することによって、ＲＳＴＤ（基準信号時間差）値を取得し得る。
【００４２】
ＵＥ１００は次いで、測位情報として測定値、たとえば、取得されたＲＳＴＤ値をロケーションサーバ（図示せず）に報告する。これは、測定品質を報告することをも伴い得る。ロケーションサーバは次いで、たとえば、地理座標に関して、ＵＥ１００の位置を決定するために、報告された測定値をさらに評価し得る。これは、たとえば、三角測量および／または三辺測量計算に基づき得る。
【００４３】
上述のように、ＤＬ測位基準信号１０の送信は、周波数ホップパターンに基づく。周波数ホップパターンは、ワイヤレス通信ネットワークによって構成され得る。周波数ホップパターンは、基地局固有、セル固有、またはＵＥ固有であり得る。したがって、各基地局２００は、時間（ｔ）に応じて、各基地局２００がそのＤＬ測位基準信号１０を送信する周波数（ｆ）を変更する。言い換えれば、第１の時間において、基地局２００は、そのＤＬ測位基準信号１０を第１の周波数上で送信し、第２の時間において、基地局２００は、そのＤＬ測位基準信号１０を第１の周波数とは異なる第２の周波数上で送信する。対応する周波数ホップパターンの一例が図２に示されている。
【００４４】
図２の例では、ＤＬ測位基準信号１０が送信される位置は、ワイヤレス通信ネットワークにおけるワイヤレス通信のための無線リソースの割振りのために使用される時間周波数グリッド中の位置に関して示されている。時間周波数グリッドは、たとえば、物理リソースブロック（ＰＲＢ：ｐｈｙｓｉｃａｌ  ｒｅｓｏｕｒｃｅ  ｂｌｏｃｋ）で編成され得る。ＬＴＥ無線アクセス技術を利用するとき、各ＰＲＢは、周波数領域中の１２個のサブキャリアに対応し得る。しかしながら、時間周波数グリッドを編成する他のやり方または他のＰＲＢサイズも利用され得る。ＵＥ１００の無線インターフェースは、ワイヤレス通信ネットワークのシステム帯域幅よりも小さい最大帯域幅、すなわち、ＯＦＤＭなど、マルチ周波数変調のためにサポートされる最大帯域幅のみをサポートし得る。たとえば、無線インターフェースによってサポートされる最大帯域幅は、ＭＴＣまたはＮＢ−ＩｏＴ通信のために使用される狭帯域周波数範囲に対応し得る。狭帯域周波数範囲は、たとえば、（たとえば、ＵＥがＭＴＣ型のものである場合）周波数領域中の６つのＰＲＢに対応し、または（たとえば、ＵＥがＮＢ−ＩｏＴ型のものである場合）周波数領域中の１つのＰＲＢに対応し得る。
【００４５】
図２にさらに示されているように、異なる基地局２００（ＢＳ１、ＢＳ２、およびＢＳ３）のＤＬ測位基準信号１０は、周波数分割多重化によって多重化され、すなわち、異なる周波数上で送信される。さらに代替として、時分割多重化または符号分割多重化も利用され得る。
【００４６】
図２の例では、周波数ホップパターンは、第１の周波数ホップ距離Ｄｆ１と、第２の周波数ホップ距離Ｄｆ２とに基づく。第１の周波数ホップ距離Ｄｆ１は、たとえば、無線インターフェースによってサポートされる最大帯域幅よりも小さい、小さい周波数ホップ距離である。第２の周波数ホップ距離Ｄｆ２は、たとえば、無線インターフェースによってサポートされる最大帯域幅よりも大きく、たとえば、１つまたは複数の狭帯域周波数範囲だけ離間される、大きい周波数ホップ距離である。第１の周波数ホップ距離Ｄｆ１は粗い測位測定を実施するために使用され得、第２の周波数ホップ距離Ｄｆ２は細かい測位測定を実施するために使用され得る。大きい周波数ホップ距離Ｄｆ２のさらなる利益は、大きい周波数ホップ距離Ｄｆ２が、（たとえば、小さい周波数ホップ距離Ｄｆ１に対応する周波数範囲内で発生することがある）周波数選択性フェージングに対するロバストネスを与えることである。図２に示されているように、第１の周波数ホップ距離Ｄｆ１は、１つのＰＲＢ（たとえば、１２個のサブキャリア）であり得、第２の周波数ホップ距離Ｄｆ２は、６つのＰＲＢまたはそれ以上であり得る。したがって、第１の周波数ホップ距離Ｄｆ１は、狭帯域周波数範囲内で周波数ホップを実施するために使用され得るが、第２の周波数ホップ距離Ｄｆ２は、狭帯域周波数範囲外または別の狭帯域周波数範囲に対して周波数ホップを実施するために使用され得る。周波数ホップパターンが、無線インターフェースを異なる周波数範囲間で切り替えるために利用されるので、ＤＬ測位基準信号１０の周波数を変更することが、無線インターフェースによってサポートされる最大帯域幅によって制限されず、ＤＬ測位基準信号の周波数ダイバーシティは、狭帯域周波数範囲を越えて拡張される。このようにして、測位精度が改善され得る。
【００４７】
わかるように、周波数ホップパターンは、周波数分割多重化パターンをオフセットするために適用され得、異なる基地局からのＤＬ測位基準信号は、その周波数分割多重化パターンに従って多重化される。この点において、そのような周波数分割多重化パターンがまた、図２に示されている例とは異なり得ることに留意されたい。さらに、そのようなオフセットはまた、周波数分割多重化と時分割多重化とをコーミングする多重化パターンに関して、たとえば、個々のリソース要素またはリソース要素のグループに関して適用され得る。
【００４８】
図２の例で説明されたような２つの異なる周波数ホップ距離は例にすぎないことと、１つの周波数ホップ距離のみまたは３つ以上の周波数ホップ距離を利用することも可能であろうこととに留意されたい。いくつかのシナリオでは、１つまたは複数の周波数ホップ距離はまた、周波数ホップパターンが、同じ狭帯域周波数範囲内にある周波数を定義するようなやり方で定義され得る。対応する例が図３に示されている。これは、図２の例におけるものよりも少ない周波数ダイバーシティを与え得るが、それは、ＵＥ１００の無線インターフェースが固有の狭帯域周波数範囲に制限される場合、有益であり得る。図３の例では、第１の周波数ホップ距離Ｄｆ１と第２の周波数ホップ距離Ｄｆ２の両方が、無線インターフェースによってサポートされる最大帯域幅よりも小さい。
【００４９】
周波数ホップパターンは、ＤＬ測位基準信号１０の繰返しをも定義し得る。たとえば、周波数ホップの前に、ＤＬ測位基準信号１０はＹ回繰り返され得る。ワイヤレス通信ネットワークにおけるワイヤレス通信が（たとえば、ＬＴＥ無線アクセス技術の場合のように）サブフレームで編成される場合、Ｙ個のサブフレームについて、周波数ホップを実施する前にＤＬ測位基準信号１０が同じ周波数上で繰り返されることを定義することによって、繰返しは定義され得る。周波数ホップの後に、ＤＬ測位基準信号は、別の周波数上でＹ個のサブフレーム（または別の数のサブフレーム）について繰り返され得る。周波数ホップパターンが、上述の周波数ホップ距離Ｄｆ１およびＤｆ２など、複数の異なるホップ距離を定義する場合、繰返しの数も、周波数ホップ距離ごとに個々に定義され得る。たとえば、第１の周波数ホップ距離Ｄｆ１に基づくサブパターンが、第２の周波数ホップ距離Ｄｆ２の周波数ホップの前にＺ回繰り返され得る。
【００５０】
周波数ホップパターンは、一方では、ＤＬ測位基準信号１０が所与の時間においてどの周波数上で受信され得るかという情報を、ＵＥ１００に与えることに留意されたい。ＵＥ１００は次いで、それに応じて、その無線インターフェースを同調させ得る。他方では、周波数ホップパターンは、ＤＬ測位基準信号１０が所与の時間においてどの周波数上で送信されるべきであるかという情報を、基地局２００に与える。ＵＥ１００のサービング基地局２００は、それに応じて、たとえば、対応する構成情報を送ることによって、ネイバリング基地局２００を構成し得る。しかしながら、基地局２００の無線インターフェースは、一般に、ワイヤレス通信システムのシステム帯域幅全体にわたる同時送信をサポートする必要があるので、基地局２００も、周波数ホップパターンによって定義されたすべての周波数上でＤＬ測位基準信号１０を送信し得る。これらの周波数は、システム帯域幅全体にわたって、あるいは、システム帯域幅全体のサブレンジ、たとえば、ＭＴＣ型デバイスまたはＮＢ−ＩｏＴ型デバイスによって使用されるために割り当てられた、システム帯域幅内の１つまたは複数の狭帯域周波数範囲にわたって、分散され得る。これは、特に、たとえば、ＵＥ固有様式で定義された異なる周波数ホップパターンが同時にサポートされる必要があるシナリオを考慮するとき、基地局２００の構成を容易にし得る。
【００５１】
図２および図３に示されているＤＬ測位基準信号１０の送信のための無線リソースの割振りが、例にすぎないことに留意されたい。ＤＬ測位基準信号１０の送信のための無線リソースの割振りは、様々なやり方で構成され得る。これは、ＵＥ固有様式で達成され得る。さらに、割振りはまた、たとえば、ＤＬ測位基準信号１０に基づく測位測定のための精度要件を満たすために、動的な様式で再構成され得る。
【００５２】
たとえば、いくつかのシナリオでは、ある基地局２００のＤＬ測位基準信号１０をより大きい周波数範囲にわたって、たとえば、より多くのサブキャリア上で送信することによって、ＤＬ測位基準信号１０の送信のためにより多くの無線リソースが割り振られ得る。対応する周波数ホップパターンの一例が図４に示されている。図４に示されているように、基地局ＢＳ１のための周波数ホップパターンは、図３の例におけるものと同様であるが、他の周波数上の追加の無線リソースが、ＤＬ測位基準信号１０の送信のために使用される。
【００５３】
さらなる例によれば、いくつかのシナリオでは、ある基地局２００のＤＬ測位基準信号１０をより長い時間間隔にわたって、たとえば、より多い変調シンボル上またはより多いサブフレーム中で送信することによって、ＤＬ測位基準信号１０の送信のためにより多い無線リソースが割り振られ得る。対応する周波数ホップパターンの一例が図５に示されている。図５に示されているように、基地局ＢＳ１のための周波数ホップパターンは、図３の例におけるものと同様であるが、他のタイムスロット中の追加の無線リソースが、ＤＬ測位基準信号１０の送信のために使用される。追加の時間領域無線リソースは、たとえば、上述のように繰返しパターンに従って、ＵＬ測位基準信号の繰返しの送信のために使用され得る。代替的にまたは追加として、追加の時間領域無線リソースは、より長いシンボルシーケンスに基づいてＵＬ測位基準信号を送信するために使用され得る。
【００５４】
上述のように、異なる基地局のＤＬ測位基準信号１０の送信のために周波数分割多重化が使用され得る。この周波数分割多重化は、ＵＥ１００と基地局２００との間で送信されるワイヤレス通信信号のマルチ周波数変調（たとえば、ＯＦＤＭ）のために使用されるものと同じ周波数粒度に基づき得る。例として、ＬＴＥ無線アクセス技術では、この周波数粒度は、１５ｋＨｚのサブキャリア間隔によって定義されるであろう。いくつかのシナリオでは、ＤＬ測位基準信号１０の周波数分割多重化は、ワイヤレス通信信号のマルチ周波数変調のために使用される周波数粒度よりも細かい周波数粒度に基づき得る。このようにして、周波数使用の効率が改善され得る。ＤＬ測位基準信号１０の周波数分割多重化のためにより細かい周波数粒度を利用する一例が、図６に示されている。図６では、ＳＣは、ワイヤレス通信信号のマルチ周波数変調のために利用されるサブキャリアの間隔を示す。たとえば、これは、ＬＴＥ無線アクセス技術におけるＯＦＤＭのために使用される１５ｋＨｚサブキャリア間隔に対応し得る。さらに示されているように、ＤＬ測位基準信号１０を送信するとき、たとえば、３．７５ｋＨｚなど、１５ｋＨｚ未満のより細かい周波数粒度が、異なる基地局２００のＤＬ測位基準信号１０の周波数分割多重化のために使用される。ＵＥ１００および基地局２００は、ＤＬ測位基準信号１０の送信のために使用される時間間隔中に、このより細かい周波数粒度に切り替え得る。
【００５５】
図７は、ＵＥ１００によって送信され、ワイヤレス通信ネットワークの異なる基地局２００によって受信されたＵＬ測位基準信号２０に基づく、ＵＥ１００についての測位測定を概略的に示す。基地局２００のうちの１つ、たとえば、「ＢＳ１」で指定された基地局は、ＵＥ１００のサービング基地局であると仮定される。サービング基地局２００を介して、ＵＥ１００は、ワイヤレス通信ネットワークに接続される。他の基地局２００は、ネイバリング基地局であると仮定される。
【００５６】
図示のように、ＵＥ１００は、基地局２００によって受信されるＵＬ測位基準信号２０を送信する。同様の様式で、ＵＬ測位基準信号は、他のＵＥ（図示せず）によって送信され得る。異なるＵＥによって送信されたＵＬ測位基準信号２０は、周波数分割多重化、時分割多重化、および／または符号分割多重化を使用して多重化され得る。ＵＬ測位基準信号２０は、２つのトレーニングシンボル間の差動動作に基づき得、Ｚａｄｏｆｆ−Ｃｈｕシーケンスに基づいて生成され得る。ＵＬ測位基準信号２０はＵＥ固有であり得る。
【００５７】
基地局２００は、ＵＬ測位基準信号２０を受信し、受信されたＵＬ測位基準信号２０を評価する。たとえば、各基地局２００は、ローカルに生成された信号との、受信されたＵＬ測位基準信号の相互相関を実施し、それにより、ＵＬ測位基準信号２０についての伝搬遅延を推定し得る。これは、ＵＬ測位基準信号２０の複数の送信を平均化および／または相関させることをも伴い得る。ＵＬ測位基準信号２０は、同じ基地局２００の異なるアンテナを介して受信され得、伝搬遅延は、同じ基地局２００の異なるアンテナを介して受信されたＵＬ測位基準信号２０に基づいて推定され得る。さらに、ＵＬ測位基準信号２０の伝搬遅延を推定するためにＰＤＰを利用することが可能である。サービング基地局２００は、ネイバリング基地局２００から、推定された伝搬遅延を収集する。たとえば、サービング基地局２００は、ネイバリング基地局２００を、ＵＥ１００によって送信されたＵＬ測位基準信号２０に対して測定を実施することと、これらの測定の結果をサービング基地局２００に報告することとを行うように構成し得る。
【００５８】
異なる基地局２００によって受信されたＵＬ測位基準信号２０の伝搬遅延から、サービング基地局２００は、次いで、たとえば、サービング基地局２００によって推定された伝搬遅延から、ネイバリング基地局２００の各々によって報告された伝搬遅延を減算することによって、ＲＳＴＤ値を取得し得る。サービング基地局２００は次いで、測定値、たとえば、取得されたＲＳＴＤ値をロケーションサーバ（図示せず）に報告する。これは、測定品質を報告することをも伴い得る。ロケーションサーバは次いで、たとえば、地理座標に関して、ＵＥ１００の位置を決定するために、報告された測定値をさらに評価し得る。これは、たとえば、三角測量および／または三辺測量計算に基づき得る。
【００５９】
上述のように、ＵＬ測位基準信号２０の送信は、周波数ホップパターンに基づく。周波数ホップパターンは、ワイヤレス通信ネットワークによって構成され得る。周波数ホップパターンは、基地局固有、セル固有、またはＵＥ固有であり得る。したがって、ＵＥ１００は、時間（ｔ）に応じて、ＵＥ１００がＵＬ測位基準信号２０を送信する周波数（ｆ）を変更する。言い換えれば、第１の時間において、ＵＥ１００は、ＵＬ測位基準信号２０を第１の周波数上で送信し、第２の時間において、ＵＥ１００は、ＵＬ測位基準信号２０を第１の周波数とは異なる第２の周波数上で送信する。対応する周波数ホップパターンの一例が図８に示されている。
【００６０】
図８の例では、ＵＬ測位基準信号２０が送信される位置は、ワイヤレス通信ネットワークにおけるワイヤレス通信のための無線リソースの割振りのために使用される時間周波数グリッド中の位置に関して示されている。時間周波数グリッドは、たとえば、物理リソースブロック（ＰＲＢ）で編成され得る。ＬＴＥ無線アクセス技術を利用するとき、各ＰＲＢは、周波数領域中の１２個のサブキャリアに対応し得る。しかしながら、時間周波数グリッドを編成する他のやり方他のＰＲＢサイズも利用され得る。ＵＥ１００の無線インターフェースは、ワイヤレス通信ネットワークのシステム帯域幅よりも小さい最大帯域幅、すなわち、ＯＦＤＭまたはＳＣ−ＦＤＭＡ（シングルキャリア周波数分割多元接続）など、マルチ周波数変調のためにサポートされる最大帯域幅のみをサポートし得る。たとえば、無線インターフェースによってサポートされる最大帯域幅は、ＮＢ−ＩｏＴ通信のためのＭＴＣのために使用される狭帯域周波数範囲に対応し得る。狭帯域周波数範囲は、たとえば、（たとえば、ＵＥがＭＴＣ型のものである場合）周波数領域中の６つのＰＲＢに対応し、または（たとえば、ＵＥがＮＢ−ＩｏＴ型のものである場合）周波数領域中の１つのＰＲＢに対応し得る。
【００６１】
図８にさらに示されているように、異なるＵＥ（ＵＥ１、ＵＥ２、およびＵＥ３）のＵＬ測位基準信号２０は、周波数分割多重化によって多重化され、すなわち、異なる周波数上で送信される。さらに代替として、時分割多重化または符号分割多重化も利用され得る。所与のＵＥからのＵＬ測位基準信号２０は、たとえば、ＰＲＢにわたる複数のサブキャリア（１２個のサブキャリア）上で送信され得る。しかしながら、いくつかのシナリオでは、ＵＥ、たとえば、ＵＥ１００はまた、シングルトーン送信を使用して（たとえば、単一の１５ｋＨｚサブキャリア上で）、ＵＬ測位基準信号を送り得る。シングルトーン送信は、マルチトーン送信よりも低いピーク対平均電力比を有し、したがって、マルチトーン送信よりもエネルギー効率が高い。いくつかのＵＥは、ハードウェア制限によりシングルトーン送信のみをサポートする。
【００６２】
図８の例では、周波数ホップパターンは、第１の周波数ホップ距離Ｄｆ１と、第２の周波数ホップ距離Ｄｆ２とに基づく。第１の周波数ホップ距離Ｄｆ１は、たとえば、無線インターフェースによってサポートされる最大帯域幅よりも小さい、小さい周波数ホップ距離である。第２の周波数ホップ距離Ｄｆ２は、たとえば、無線インターフェースによってサポートされる最大帯域幅よりも大きく、たとえば、１つまたは複数の狭帯域周波数範囲だけ離間される、大きい周波数ホップ距離である。大きい周波数ホップ距離Ｄｆ２のさらなる利益は、大きい周波数ホップ距離Ｄｆ２が、（たとえば、小さい周波数ホップ距離Ｄｆ１に対応する周波数範囲内で発生することがある）周波数選択性フェージングに対するロバストネスを与えることである。第１の周波数ホップ距離Ｄｆ１は粗い測位測定を実施するために使用され得、第２の周波数ホップ距離Ｄｆ２は細かい測位測定を実施するために使用され得る。図８に示されているように、第１の周波数ホップ距離Ｄｆ１は、１つのＰＲＢ（たとえば、１２個のサブキャリア）であり得、第２の周波数ホップ距離Ｄｆ２は、６つのＰＲＢまたはそれ以上であり得る。したがって、第１の周波数ホップ距離Ｄｆ１は、狭帯域周波数範囲内で周波数ホップを実施するために使用され得るが、第２の周波数ホップ距離Ｄｆ２は、狭帯域周波数範囲外または別の狭帯域周波数範囲に対して周波数ホップを実施するために使用され得る。周波数ホップパターンが、無線インターフェースを異なる周波数範囲間で切り替えるために利用されるので、ＵＬ測位基準信号２０の周波数を変更することが、無線インターフェースによってサポートされる最大帯域幅によって制限されず、ＵＬ測位基準信号の周波数ダイバーシティは、狭帯域周波数範囲を越えて拡張される。このようにして、測位精度が改善され得る。
【００６３】
わかるように、周波数ホップパターンは、周波数分割多重化パターンをオフセットするために適用され得、異なるＵＥからのＵＬ測位基準信号は、その周波数分割多重化パターンに従って多重化される。この点において、そのような周波数分割多重化パターンがまた、図８に示されている例とは異なり得ることに留意されたい。さらに、そのようなオフセットはまた、周波数分割多重化と時分割多重化とをコーミングする多重化パターンに関して、たとえば、個々のリソース要素またはリソース要素のグループに関して適用され得る。
【００６４】
図８の例で説明されたような２つの異なる周波数ホップ距離は例にすぎないことと、１つの周波数ホップ距離のみまたは３つ以上の周波数ホップ距離を利用することも可能であろうこととに留意されたい。いくつかのシナリオでは、１つまたは複数の周波数ホップ距離はまた、周波数ホップパターンが、同じ狭帯域周波数範囲内にある周波数を定義するようなやり方で定義され得る。対応する例が図９に示されている。これは、図８の例におけるものよりも少ない周波数ダイバーシティを与え得るが、それは、ＵＥ１００の無線インターフェースが固有の狭帯域周波数範囲に制限される場合、有益であり得る。図９の例では、第１の周波数ホップ距離Ｄｆ１と第２の周波数ホップ距離Ｄｆ２の両方が、無線インターフェースによってサポートされる最大帯域幅よりも小さい。
【００６５】
周波数ホップパターンは、ＵＬ測位基準信号２０の繰返しをも定義し得る。たとえば、周波数ホップの前に、ＵＬ測位基準信号２０はＹ回繰り返され得る。ワイヤレス通信におけるワイヤレス通信が（たとえば、ＬＴＥ無線アクセス技術の場合のように）サブフレームで編成される場合、Ｙ個のサブフレームについて、周波数ホップを実施する前にＵＬ測位基準信号１０が同じ周波数上で繰り返されることを定義することによって、繰返しは定義され得る。周波数ホップの後に、ＵＬ測位基準信号２０は、別の周波数上でＹ個のサブフレーム（または別の数のサブフレーム）について繰り返され得る。周波数ホップパターンが、上述の周波数ホップ距離Ｄｆ１およびＤｆ２など、複数の異なるホップ距離を定義する場合、繰返しの数も、周波数ホップ距離ごとに個々に定義され得る。たとえば、第１の周波数ホップ距離Ｄｆ１に基づくサブパターンが、第２の周波数ホップ距離Ｄｆ２の周波数ホップの前にＺ回繰り返され得る。
【００６６】
周波数ホップパターンは、一方では、ＵＥ１００が所与の時間においてＵＬ測位基準信号２０をどの周波数上で送信すべきであるかという情報を、ＵＥ１００に与えることに留意されたい。ＵＥ１００は次いで、それに応じて、その無線インターフェースを同調させ得る。他方では、周波数ホップパターンは、ＵＥ１００からのＵＬ測位基準信号２０が所与の時間においてどの周波数上で受信され得るかという情報を、基地局２００に与える。ＵＥ１００のサービング基地局２００は、それに応じて、たとえば、対応する構成情報を送ることによって、ネイバリング基地局２００を構成し得る。
【００６７】
図８および図９に示されているＵＬ測位基準信号２０の送信のための無線リソースの割振りが、例にすぎないことに留意されたい。ＵＬ測位基準信号２０の送信のための無線リソースの割振りは、様々なやり方で構成され得る。これは、ＵＥ固有様式で達成され得る。さらに、割振りはまた、たとえば、ＵＬ測位基準信号２０に基づく測位測定のための精度要件を満たすために、動的な様式で再構成され得る。
【００６８】
たとえば、いくつかのシナリオでは、ＵＥ１００のＵＬ測位基準信号２０をより大きい周波数範囲にわたって、たとえば、より多くのサブキャリア上で送信することによって、ＵＬ測位基準信号２０の送信のためにより多くの無線リソースが割り振られ得る。対応する周波数ホップパターンの一例が図１０に示されている。図１０に示されているように、ＵＥ１のための周波数ホップパターンは、図９の例におけるものと同様であるが、他の周波数上の追加の無線リソースが、ＵＬ測位基準信号２０の送信のために使用される。
【００６９】
さらなる例によれば、いくつかのシナリオでは、ＵＥ１００のＵＬ測位基準信号２０をより長い時間間隔にわたって、たとえば、より多い変調シンボル上またはより多いサブフレーム中で送信することによって、ＵＬ測位基準信号２０の送信のためにより多い無線リソースが割り振られ得る。対応する周波数ホップパターンの一例が図１１に示されている。図１１に示されているように、ＵＥ１のための周波数ホップパターンは、図９の例におけるものと同様であるが、他のタイムスロット中の追加の無線リソースが、ＵＬ測位基準信号２０の送信のために使用される。追加の時間領域無線リソースは、たとえば、上述のように繰返しパターンに従って、ＵＬ測位基準信号の繰返しの送信のために使用され得る。代替的にまたは追加として、追加の時間領域無線リソースは、より長いシンボルシーケンスに基づいてＵＬ測位基準信号を送信するために使用され得る。
【００７０】
上述のように、異なるＵＥのＵＬ測位基準信号２０の送信のために周波数分割多重化が使用され得る。この周波数分割多重化は、ＵＥ１００と基地局２００との間で送信されるワイヤレス通信信号のマルチ周波数変調（たとえば、ＯＦＤＭまたはＳＣ−ＦＤＭＡ）のために使用されるものと同じ周波数粒度に基づき得る。例として、ＬＴＥ無線アクセス技術では、この周波数粒度は、１５ｋＨｚのサブキャリア間隔によって定義されるであろう。いくつかのシナリオでは、ＵＬ測位基準信号２０の周波数分割多重化は、ワイヤレス通信信号のマルチ周波数変調のために使用される周波数粒度よりも細かい周波数粒度に基づき得る。このようにして、周波数使用の効率が改善され得る。ＵＬ測位基準信号２０の周波数分割多重化のためにより細かい周波数粒度を利用する一例が、図１２に示されている。図１２では、ＳＣは、ワイヤレス通信信号のマルチ周波数変調のために利用されるサブキャリアの間隔を示す。たとえば、これは、ＬＴＥ無線アクセス技術におけるＯＦＤＭまたはＳＣ−ＦＤＭＡのために使用される１５ｋＨｚサブキャリア間隔に対応し得る。さらに示されているように、ＵＬ測位基準信号２０を送信するとき、たとえば、３．７５ｋＨｚなど、１５ｋＨｚ未満のより細かい周波数粒度が、ＵＥのＵＬ測位基準信号２０の周波数分割多重化のために使用される。ＵＥ１００および基地局２００は、ＵＬ測位基準信号２０の送信のために使用される時間間隔中に、このより細かい周波数粒度に切り替え得る。
【００７１】
上記の例では、ＵＬ測位基準信号２０は測位測定のために利用されるが、他の利用も可能である。たとえば、基地局２００のうちの１つまたは複数が、ＵＥ１００についてチャネル品質および／またはチャネルサウンディングを推定するために、ＵＬ測位基準信号２４を利用し得る。
【００７２】
さらに、上述のＤＬ測位基準信号１０に基づく測定と上述のＵＬ測位基準信号２０に基づく測定とがまた、組み合わせられ得ることに留意されたい。たとえば、両方のタイプの測定から取得された結果が、ロケーションサーバに報告され、次いで、ＵＥ１００の位置を決定するために組み合わせて使用され得る。
【００７３】
図１３は、ワイヤレス通信ネットワーク、たとえば、セルラーネットワークにおける、ワイヤレス通信デバイス、たとえば、上述のＵＥ１００についての測位測定を可能にするために使用され得る方法を示すフローチャートを示す。図１３の方法によって、ワイヤレス通信デバイス、たとえば、上述のＵＥ１００は、ＤＬ測位基準信号に基づく測位測定に関与する上記で説明された概念を実装し得る。ワイヤレス通信デバイスのプロセッサベース実装形態が利用される場合、本方法のステップの少なくとも一部が、ワイヤレス通信デバイスの１つまたは複数のプロセッサによって実施および／または制御され得る。
【００７４】
ステップ１３１０において、周波数ホップパターンが構成される。周波数ホップパターンは、ワイヤレス通信ネットワークの基地局から、たとえば、上述の基地局２００からＤＬ測位基準信号を受信するためにワイヤレス通信デバイスによって適用されることになる。ＤＬ測位基準信号は、たとえば、上述のＤＬ測位基準信号１０に対応し得る。周波数ホップパターンの例が、図２、図３、図４、および図５に示されている。
【００７５】
異なる基地局によって送信されたＤＬ測位基準信号は、周波数分割多重化、時分割多重化、および符号分割多重化のうちの１つまたは複数を含む多重化方式に基づいて多重化され得る。いくつかのシナリオでは、たとえば、図６に関して説明されたように、異なる基地局によって送信されたＤＬ測位基準信号の周波数分割多重化のための周波数粒度が、ワイヤレス通信デバイスとワイヤレス通信ネットワークとの間で送信されたワイヤレス通信信号の周波数分割多重化のための周波数粒度よりも細かくなり得る。異なる基地局が同じ周波数ホップパターンを適用するとき、周波数分割多重化は、ＤＬ測位基準信号の送信のための異なる周波数を生じ得ることに留意されたい。言い換えれば、周波数ホップパターンは、周波数分割多重化パターンをオフセットするために適用され得、異なる基地局からのＤＬ測位基準信号は、その周波数分割多重化パターンに従って多重化される。
【００７６】
ワイヤレス通信デバイスは、ワイヤレス通信ネットワークから、たとえば、基地局のうちの１つから受信された構成情報に基づいて、周波数ホップパターンを構成し得る。たとえば、ワイヤレス通信デバイスのサービング基地局が、周波数ホップパターンを決定し、対応する構成情報をワイヤレス通信デバイスに送ることができる。さらに、ロケーションサーバが、周波数ホップパターンを決定し、対応する構成情報を、たとえば、ワイヤレス通信デバイスのサービング基地局を介してワイヤレス通信デバイスに送ることができる。しかしながら、周波数ホップパターンはまた、たとえば、出荷時設定または事業者設定の一部としてワイヤレス通信デバイスに記憶された情報に基づいて、構成され得る。さらに、いくつかの場合には、ワイヤレス通信ネットワークはまた、周波数ホップパターンをローカルに構成し、次いで、たとえば、対応する構成情報をワイヤレス通信ネットワークの基地局に送ることによって、周波数ホップパターンをワイヤレス通信ネットワークに示すことができる。
【００７７】
いくつかのシナリオでは、周波数ホップパターンは、ＤＬ測位基準信号の繰返しパターンをさらに定義し得る。言い換えれば、周波数ホップパターンは、次いで、周波数ホップのシーケンスと周波数ホップ間のＤＬ測位基準信号の繰返しとに関して定義され得る。周波数ホップは、同じ周波数ホップ距離または複数の異なる周波数ホップ距離に基づき得る。
【００７８】
ステップ１３２０において、ワイヤレス通信デバイスは、周波数ホップパターンによって定義された複数の異なる周波数上でＤＬ測位基準信号を受信するために、ワイヤレス通信デバイスの無線インターフェースを複数の異なる周波数範囲間で切り替える。この切替えは、ステップ１３１０において構成された周波数ホップパターンに従って達成される。したがって、異なる周波数の各々について、ワイヤレス通信デバイスは、その無線インターフェースを別の周波数範囲に同調させ得る。このようにして、ＤＬ測位基準信号は、高い精度で受信され得る。さらに、ＤＬ測位基準信号の周波数ダイバーシティは、ワイヤレス通信デバイスの無線インターフェースの帯域幅制限にかかわらず拡張され得る。
【００７９】
複数の異なる周波数のうちの少なくともいくつかは、ワイヤレス通信デバイスの無線インターフェースによってサポートされる最大帯域幅超だけ分離され得る。いくつかのシナリオでは、たとえば、図２に関して説明されたように、周波数ホップパターンは、無線インターフェースによってサポートされる最大帯域幅よりも小さい第１の周波数ホップ距離と、第２の周波数ホップ距離とを定義し得る。
【００８０】
ステップ１３３０において、ワイヤレス通信デバイスは、ワイヤレス通信デバイスについての測位情報を決定する。これは、受信されたＤＬ測位基準信号の組み合わせられた評価によって達成される。特に、異なる周波数上で受信されたＤＬ測位基準信号を考慮することによって、測位精度が改善され得る。測位情報は、複数の異なる基地局からのＤＬ測位基準信号の到着時間差（ＴＤＯＡ）を含み得る。しかしながら、他の種類の測位情報、たとえば、到着時間（ＴＯＡ）、到来角（ＡＯＡ：ａｎｇｌｅ  ｏｆ  ａｒｒｉｖａｌ）、および／またはドップラーシフトベース情報（Ｄｏｐｐｌｅｒ  ｓｈｉｆｔ  ｂａｓｅｄ  ｉｎｆｏｒｍａｔｉｏｎ）も決定され得る。ＡＯＡを使用するとき、単一のＤＬ測位基準信号に対する測定が、ワイヤレス通信デバイスの位置を決定するのに十分であり得る。いくつかのシナリオでは、測位情報は、絶対地理座標または基地局に対する座標でのワイヤレス通信デバイスの位置をも含み得る。ワイヤレス通信デバイスは、次いで、測位情報をロケーションサーバに報告し得る。
【００８１】
図１４は、ワイヤレス通信ネットワーク、たとえば、セルラーネットワークにおける、ワイヤレス通信デバイス、たとえば、上述のＵＥ１００についての測位測定を可能にするために使用され得る方法を示すフローチャートを示す。図１４の方法によって、ワイヤレス通信ネットワークの基地局、たとえば、上述の基地局２００は、ＤＬ測位基準信号に基づく測位測定に関与する上記で説明された概念を実装し得る。基地局のプロセッサベース実装形態が利用される場合、本方法のステップの少なくとも一部が、基地局の１つまたは複数のプロセッサによって実施および／または制御され得る。
【００８２】
ステップ１４１０において、周波数ホップパターンが構成される。周波数ホップパターンは、ワイヤレス通信ネットワークの基地局から、たとえば、上述の基地局２００からＤＬ測位基準信号を受信するためにワイヤレス通信デバイスによって適用されることになる。ＤＬ測位基準信号は、たとえば、上述のＤＬ測位基準信号１０に対応し得る。周波数ホップパターンの例が、図２、図３、図４、および図５に示されている。
【００８３】
異なる基地局によって送信されたＤＬ測位基準信号は、周波数分割多重化、時分割多重化、および符号分割多重化のうちの１つまたは複数を含む多重化方式に基づいて多重化され得る。いくつかのシナリオでは、たとえば、図６に関して説明されたように、異なる基地局によって送信されたＤＬ測位基準信号の周波数分割多重化のための周波数粒度が、ワイヤレス通信デバイスとワイヤレス通信ネットワークとの間で送信されたワイヤレス通信信号の周波数分割多重化のための周波数粒度よりも細かくなり得る。異なる基地局が同じ周波数ホップパターンを適用するとき、周波数分割多重化は、ＤＬ測位基準信号の送信のための異なる周波数を生じ得ることに留意されたい。言い換えれば、周波数ホップパターンは、周波数分割多重化パターンをオフセットするために適用され得、異なる基地局からのＤＬ測位基準信号は、その周波数分割多重化パターンに従って多重化される。
【００８４】
周波数ホップパターンを構成するために、基地局は、周波数ホップパターンを示す構成情報をワイヤレス通信デバイスに送り得る。しかしながら、いくつかの場合には、基地局はまた、追加または代替として、ワイヤレス通信デバイスから受信された構成情報に基づいて、周波数ホップパターンを構成し得る。たとえば、ワイヤレス通信デバイスは、周波数ホップパターンをローカルに構成し、次いで、対応する構成情報を基地局に送ることによって、周波数ホップパターンを示すことができる。さらに、ロケーションサーバが、周波数ホップパターンを決定し、対応する構成情報を基地局に送ることができる。
【００８５】
いくつかのシナリオでは、周波数ホップパターンは、ＤＬ測位基準信号の繰返しパターンをさらに定義し得る。言い換えれば、周波数ホップパターンは、次いで、周波数ホップのシーケンスと周波数ホップ間のＤＬ測位基準信号の繰返しとに関して定義され得る。周波数ホップは、同じ周波数ホップ距離または複数の異なる周波数ホップ距離に基づき得る。
【００８６】
複数の異なる周波数のうちの少なくともいくつかは、ワイヤレス通信デバイスの無線インターフェースによってサポートされる最大帯域幅超だけ分離され得る。いくつかのシナリオでは、たとえば、図２に関して説明されたように、周波数ホップパターンは、無線インターフェースによってサポートされる最大帯域幅よりも小さい第１の周波数ホップ距離と、無線インターフェースによってサポートされる最大帯域幅よりも大きい第２の周波数ホップ距離とを定義し得る。
【００８７】
ステップ１４２０において、基地局は、周波数ホップパターンに従ってＤＬ測位基準信号の第１の部分を送る。これは、周波数の時間依存変更を伴い得、基地局は、その周波数上でＤＬ測位基準信号を送る。しかしながら、基地局はまた、周波数ホップパターンによって定義された複数の異なる周波数上で、たとえば、ワイヤレス通信ネットワークのシステム帯域幅全体にわたって、またはワイヤレス通信ネットワークのシステム帯域幅内のあるサブレンジにわたって分散される周波数上で、同時にＤＬ測位基準信号を送ることができる。
【００８８】
ステップ１４３０において、基地局は、ワイヤレス通信ネットワークのさらなる基地局を、周波数ホップパターンに従ってＤＬ測位基準信号の第２の部分を送るようにさらに構成する。これは、基地局が、周波数ホップパターンを示す構成情報をさらなる基地局に送ることを伴い得る。さらなる基地局は、たとえば、ネイバリング基地局であり得る。さらなる基地局によってＤＬ測位基準信号の第２の部分を送ることは、さらなる基地局の各々が周波数を変更することを伴い得、さらなる基地局の各々は、その周波数上でＤＬ測位基準信号を時間依存様式で送る。しかしながら、さらなる基地局はまた、周波数ホップパターンによって定義された複数の異なる周波数上で、たとえば、ワイヤレス通信ネットワークのシステム帯域幅全体にわたって、またはワイヤレス通信ネットワークのシステム帯域幅内のあるサブレンジにわたって分散される周波数上で、同時にＤＬ測位基準信号を送ることができる。
【００８９】
図１５は、ワイヤレス通信ネットワーク、たとえば、セルラーネットワークにおける、ワイヤレス通信デバイス、たとえば、上述のＵＥ１００についての測位測定を可能にするために使用され得る方法を示すフローチャートを示す。図１５の方法によって、ワイヤレス通信デバイス、たとえば、上述のＵＥ１００は、ＵＬ測位基準信号に基づく測位測定に関与する上記で説明された概念を実装し得る。ワイヤレス通信デバイスのプロセッサベース実装形態が利用される場合、本方法のステップの少なくとも一部が、ワイヤレス通信デバイスの１つまたは複数のプロセッサによって実施および／または制御され得る。
【００９０】
ステップ１５１０において、周波数ホップパターンが構成される。周波数ホップパターンは、ワイヤレス通信デバイスからＵＬ測位基準信号を送るために適用されることになる。ＵＬ測位基準信号は、たとえば、上述のＵＬ測位基準信号２０に対応し得る。周波数ホップパターンの例が、図８、図９、図１０、および図１１に示されている。
【００９１】
異なるワイヤレス通信デバイスによって、すなわち、ワイヤレス通信デバイスと１つまたは複数のさらなるワイヤレス通信デバイスとによって送信されたＵＬ測位基準信号は、周波数分割多重化、時分割多重化、および符号分割多重化のうちの１つまたは複数を含む多重化方式に基づいて多重化され得る。いくつかのシナリオでは、たとえば、図１２に関して説明されたように、異なるワイヤレス通信デバイスによって送信されたＵＬ測位基準信号の周波数分割多重化のための周波数粒度が、ワイヤレス通信デバイスとワイヤレス通信ネットワークとの間で送信されたワイヤレス通信信号の周波数分割多重化のための周波数粒度よりも細かくなり得る。異なるワイヤレス通信デバイスが同じ周波数ホップパターンを適用するとき、周波数分割多重化は、それぞれのＵＬ測位基準信号の送信のための異なる周波数を生じ得ることに留意されたい。言い換えれば、周波数ホップパターンは、周波数分割多重化パターンをオフセットするために適用され得、異なるワイヤレス通信デバイスからのＵＬ測位基準信号は、その周波数分割多重化パターンに従って多重化される。
【００９２】
ワイヤレス通信デバイスは、ワイヤレス通信ネットワークから、たとえば、ワイヤレス通信ネットワークの基地局から受信された構成情報に基づいて、周波数ホップパターンを構成し得る。たとえば、ワイヤレス通信デバイスのサービング基地局が、周波数ホップパターンを決定し、対応する構成情報をワイヤレス通信デバイスに送ることができる。さらに、ロケーションサーバが、周波数ホップパターンを決定し、対応する構成情報を、たとえば、ワイヤレス通信デバイスのサービング基地局を介してワイヤレス通信デバイスに送ることができる。しかしながら、周波数ホップパターンはまた、たとえば、出荷時設定または事業者設定の一部としてワイヤレス通信デバイスに記憶された情報に基づいて、構成され得る。さらに、いくつかの場合には、ワイヤレス通信ネットワークはまた、周波数ホップパターンをローカルに構成し、次いで、たとえば、対応する構成情報をワイヤレス通信ネットワークの基地局に送ることによって、周波数ホップパターンをワイヤレス通信ネットワークに示すことができる。
【００９３】
いくつかのシナリオでは、周波数ホップパターンは、ＵＬ測位基準信号の繰返しパターンをさらに定義し得る。言い換えれば、周波数ホップパターンは、次いで、周波数ホップのシーケンスと周波数ホップ間のＵＬ測位基準信号の繰返しとに関して定義され得る。周波数ホップは、同じ周波数ホップ距離または複数の異なる周波数ホップ距離に基づき得る。
【００９４】
ステップ１５２０において、ワイヤレス通信デバイスは、周波数ホップパターンによって定義された複数の異なる周波数上でＵＬ測位基準信号を送るために、ワイヤレス通信デバイスの無線インターフェースを複数の異なる周波数範囲間で切り替える。これは、ステップ１５１０において構成された周波数ホップパターンに従って達成される。ワイヤレス通信デバイスによってＵＬ測位基準信号を送ることは、周波数の時間依存変更を伴い得、ワイヤレス通信デバイスは、その周波数上でＵＬ測位基準信号を送る。したがって、異なる周波数の各々について、ワイヤレス通信デバイスは、その無線インターフェースを別の周波数範囲に同調させ得る。このようにして、ＵＬ測位基準信号は、ワイヤレス通信デバイスの無線インターフェースの帯域幅制限にかかわらず、拡張された周波数ダイバーシティを用いて送信され得る。
【００９５】
複数の異なる周波数のうちの少なくともいくつかは、ワイヤレス通信デバイスの無線インターフェースによってサポートされる最大帯域幅超だけ分離され得る。いくつかのシナリオでは、たとえば、図８に関して説明されたように、周波数ホップパターンは、無線インターフェースによってサポートされる最大帯域幅よりも小さい第１の周波数ホップ距離と、無線インターフェースによってサポートされる最大帯域幅よりも大きい第２の周波数ホップ距離とを定義し得る。
【００９６】
図１６は、ワイヤレス通信ネットワーク、たとえば、セルラーネットワークにおける、ワイヤレス通信デバイス、たとえば、上述のＵＥ１００についての測位測定を可能にするために使用され得る方法を示すフローチャートを示す。図１６の方法によって、ワイヤレス通信ネットワークの基地局、たとえば、上述の基地局２００は、ＵＬ測位基準信号に基づく測位測定に関与する上記で説明された概念を実装し得る。基地局のプロセッサベース実装形態が利用される場合、本方法のステップの少なくとも一部が、基地局の１つまたは複数のプロセッサによって実施および／または制御され得る。
【００９７】
ステップ１６１０において、周波数ホップパターンが構成される。周波数ホップパターンは、ワイヤレス通信デバイスからＵＬ測位基準信号を送るために適用されることになる。ＵＬ測位基準信号は、たとえば、上述のＵＬ測位基準信号２０に対応し得る。周波数ホップパターンの例が、図８、図９、図１０、および図１１に示されている。
【００９８】
異なるワイヤレス通信デバイスによって、すなわち、ワイヤレス通信デバイスと１つまたは複数のさらなるワイヤレス通信デバイスとによって送信されたＵＬ測位基準信号は、周波数分割多重化、時分割多重化、および符号分割多重化のうちの１つまたは複数を含む多重化方式に基づいて多重化され得る。いくつかのシナリオでは、たとえば、図１２に関して説明されたように、異なるワイヤレス通信デバイスによって送信されたＵＬ測位基準信号の周波数分割多重化のための周波数粒度が、ワイヤレス通信デバイスとワイヤレス通信ネットワークとの間で送信されたワイヤレス通信信号の周波数分割多重化のための周波数粒度よりも細かくなり得る。異なるワイヤレス通信デバイスが同じ周波数ホップパターンを適用するとき、周波数分割多重化は、それぞれのＵＬ測位基準信号の送信のための異なる周波数を生じ得ることに留意されたい。言い換えれば、周波数ホップパターンは、周波数分割多重化パターンをオフセットするために適用され得、異なるワイヤレス通信デバイスからのＵＬ測位基準信号は、その周波数分割多重化パターンに従って多重化される。
【００９９】
周波数ホップパターンを構成するために、基地局は、周波数ホップパターンを示す構成情報をワイヤレス通信デバイスに送り得る。しかしながら、いくつかの場合には、基地局はまた、ワイヤレス通信デバイスから受信された構成情報に基づいて、周波数ホップパターンを構成し得る。たとえば、ワイヤレス通信ネットワークは、周波数ホップパターンをローカルに構成し、次いで、対応する構成情報を基地局に送ることによって、周波数ホップパターンを示すことができる。さらに、ロケーションサーバが、周波数ホップパターンを決定し、対応する構成情報を基地局に送ることができる。
【０１００】
いくつかのシナリオでは、周波数ホップパターンは、ＵＬ測位基準信号の繰返しパターンをさらに定義し得る。言い換えれば、周波数ホップパターンは、次いで、周波数ホップのシーケンスと周波数ホップ間のＵＬ測位基準信号の繰返しとに関して定義され得る。周波数ホップは、同じ周波数ホップ距離または複数の異なる周波数ホップ距離に基づき得る。
【０１０１】
ステップ１６２０において、基地局は、ワイヤレス通信デバイスからＵＬ測位基準信号を受信する。この目的で、基地局は、周波数ホップパターンによって定義された周波数を監視し得る。
【０１０２】
ステップ１６３０において、基地局は、ワイヤレス通信ネットワークのさらなる基地局を、ワイヤレス通信デバイスからＵＬ測位基準信号を受信するように構成する。これは、基地局が、周波数ホップパターンを示す構成情報をさらなる基地局に送ることを伴い得る。さらなる基地局は、たとえば、ネイバリング基地局であり得る。ＵＬ測位基準信号を受信するために、さらなる基地局の各々が、周波数ホップパターンによって定義された周波数を監視し得る。さらに、基地局は、たとえば、測定報告を要求することによって、さらなる基地局を、受信されたＵＬ測位基準信号から導出された情報を基地局に与えるように構成する。
【０１０３】
ステップ１６４０において、基地局は、ワイヤレス通信デバイスについての測位情報を決定する。これは、ステップ１６２０において受信されたＵＬ測位基準信号の組み合わせられた評価と、さらなる基地局によって与えられた情報とによって達成される。測位情報は、ＵＬ測位基準信号を受信する異なる基地局間のＵＬ測位基準信号の到着時間差（ＴＤＯＡ）を含み得る。しかしながら、他の種類の測位情報、たとえば、到着時間（ＴＯＡ）、到来角（ＡＯＡ）、および／またはドップラーシフトベース情報も決定され得る。ＡＯＡを使用するとき、単一のＤＬ測位基準信号に対する測定が、ワイヤレス通信デバイスの位置を決定するのに十分であり得る。いくつかのシナリオでは、測位情報は、絶対地理座標または基地局に対する座標でのワイヤレス通信デバイスの位置をも含み得る。基地局は、次いで、測位情報をロケーションサーバに報告し得る。
【０１０４】
図１３、図１４、図１５、および／または図１６の方法はまた、たとえば、図１３の方法に従って動作する少なくとも１つのワイヤレス通信デバイスと図１４の方法に従って動作する少なくとも１つの基地局とを含むシステムにおいて、または図１５の方法に従って動作する少なくとも１つのワイヤレス通信デバイスと図１６の方法に従って動作する少なくとも１つの基地局とを含むシステムにおいて、組み合わせられ得ることを理解されたい。さらに、同じワイヤレス通信デバイスが図１３の方法と図１５の方法の両方を実装することができ、および／または同じ基地局が図１４の方法と図１６の方法の両方を実装することができる。
【０１０５】
さらに、図１３、図１４、図１５、および／または図１６の方法ステップが、必ずしも図示された順序で実施される必要があるとは限らないことと、図示されたステップの異なる順序が可能であるか、または図示されたステップのうちのいくつかが並列に実施され得ることとに留意されたい。さらに、異なるステップの個々のアクションまたは動作は、インターリーブされた様式で実施され得る。
【０１０６】
図１７は、上記の概念を実装するために利用され得るワイヤレス通信デバイスのプロセッサベース実装形態を概略的に示すためのブロック図を示す。ワイヤレス通信デバイスは、たとえば、上述のＵＥ１００など、ＵＥに対応し得る。
【０１０７】
図示のように、ワイヤレス通信デバイスは無線インターフェース１１０を含む。ワイヤレス通信デバイスは、たとえば、基地局２００のうちの１つなど、ワイヤレス通信ネットワークの基地局を通して、ワイヤレス通信ネットワークに接続するために無線インターフェース１１０を利用し得る。
【０１０８】
さらに、ワイヤレス通信デバイスは、１つまたは複数のプロセッサ１４０と、メモリ１５０とを与えられる。無線インターフェース１１０およびメモリ１５０は、たとえば、ワイヤレス通信デバイスの１つまたは複数の内部バスシステムを使用して、（１つまたは複数の）プロセッサ１４０に結合される。
【０１０９】
メモリ１５０は、（１つまたは複数の）プロセッサ１４０によって実行されることになるプログラムコードをもつプログラムコードモジュール１６０、１７０を含む。図示の例では、これらのプログラムコードモジュールは、通信制御モジュール１６０と、測位管理モジュール１７０とを含む。
【０１１０】
通信制御モジュール１６０は、ワイヤレス通信デバイスとワイヤレス通信ネットワークとの間のワイヤレス送信を制御する機能を実装し得る。測位管理モジュール１７０は、たとえば、図１３の方法および／または図１５の方法に従って、測位測定を可能にするために周波数ホップパターンを利用する上記で説明された機能を実装し得る。
【０１１１】
図１７に示されている構造は例にすぎないことと、ワイヤレス通信デバイスは、図示されていない他の要素、たとえば、ＵＥまたは他のタイプのワイヤレス通信デバイスの知られている機能を実装するための構造またはプログラムコードモジュールをも含み得ることとを理解されたい。
【０１１２】
図１８は、上記の概念を実装するために利用され得る基地局のプロセッサベース実装形態を概略的に示すためのブロック図を示す。基地局は、たとえば、上述の基地局２００のうちの１つに対応し得る。
【０１１３】
図示のように、基地局は無線インターフェース２１０を含む。基地局は、少なくとも１つのワイヤレス通信デバイス、たとえば、ＵＥ１００などのＵＥに接続するために無線インターフェース２１０を利用し得る。さらに、基地局はネットワークインターフェース２２０を含む。基地局は、ワイヤレス通信ネットワークの他のノード、特に他の基地局に接続するためにネットワークインターフェース２２０を利用し得る。
【０１１４】
さらに、基地局は、１つまたは複数のプロセッサ２４０と、メモリ２５０とを与えられる。無線インターフェース２１０、ネットワークインターフェース２２０、およびメモリ２５０は、たとえば、基地局の１つまたは複数の内部バスシステムを使用して、（１つまたは複数の）プロセッサ２４０に結合される。
【０１１５】
メモリ２５０は、（１つまたは複数の）プロセッサ２４０によって実行されることになるプログラムコードをもつプログラムコードモジュール２６０、２７０を含む。図示の例では、これらのプログラムコードモジュールは、通信制御モジュール２６０と、測位管理モジュール２７０とを含む。
【０１１６】
通信制御モジュール２６０は、ワイヤレス通信デバイスとワイヤレス通信ネットワークとの間のワイヤレス送信を制御する機能を実装し得る。測位管理モジュール２７０は、たとえば、図１４の方法および／または図１６の方法に従って、測位測定を可能にするために周波数ホップパターンを利用する上記で説明された機能を実装し得る。
【０１１７】
図１８に示されている構造は例にすぎないことと、基地局は、図示されていない他の要素、たとえば、基地局の知られている機能を実装するための構造またはプログラムコードモジュールをも含み得ることとを理解されたい。
【０１１８】
上記で説明された概念は、様々な変更の余地があることを理解されたい。たとえば、概念は、様々な種類のワイヤレス通信技術およびデバイスに関して適用され得る。さらに、概念は、ＤＬ測位基準信号および／またはＵＬ測位基準信号を評価するための様々なタイプのアルゴリズムに関して適用され得る。
【図１】
2019527362.tif 000003
【図２】
2019527362.tif 000004
【図３】
2019527362.tif 000005
【図４】
2019527362.tif 000006
【図５】
2019527362.tif 000007
【図６】
2019527362.tif 000008
【図７】
2019527362.tif 000009
【図８】
2019527362.tif 000010
【図９】
2019527362.tif 000011
【図１０】
2019527362.tif 000012
【図１１】
2019527362.tif 000013
【図１２】
2019527362.tif 000014
【図１３】
2019527362.tif 000015
【図１４】
2019527362.tif 000016
【図１５】
2019527362.tif 000017
【図１６】
2019527362.tif 000018
【図１７】
2019527362.tif 000019
【図１８】
2019527362.tif 000020
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
ワイヤレス通信デバイス（１００）についての位置測定を可能にする方法であって、前記方法は、
−  周波数ホップパターンを構成することであって、前記周波数ホップパターンが、前記周波数ホップパターンによって定義された複数の異なる周波数上で測位基準信号（１０）を受信するまたは送るために、前記ワイヤレス通信デバイス（１００）の無線インターフェース（１１０）を複数の異なる周波数範囲間で切り替えるために適用される、構成すること
を含み、
前記複数の異なる周波数のうちの少なくともいくつかが、前記ワイヤレス通信デバイス（１００）の前記無線インターフェース（１１０）によってサポートされる最大帯域幅超だけ分離された、
方法。
【請求項２】
−  前記周波数ホップパターンに従って、前記ワイヤレス通信デバイス（１００）が、前記周波数ホップパターンによって定義された前記複数の異なる周波数上で前記測位基準信号（１０）を受信するまたは送るために、前記ワイヤレス通信デバイス（１００）の前記無線インターフェース（１１０）を前記複数の異なる周波数範囲間で切り替えること
をさらに含む、請求項１に記載の方法。
【請求項３】
前記ワイヤレス通信デバイス（１００）が、ワイヤレス通信ネットワークから受信された構成情報に基づいて、前記周波数ホップパターンを構成する、
請求項１または２に記載の方法。
【請求項４】
前記測位基準信号が、ダウンリンク測位基準信号を含み、前記方法は、
−  前記ワイヤレス通信ネットワークの基地局（２００）が、前記周波数ホップパターンに従って前記ダウンリンク測位基準信号（１０）の第１の部分を送ることと、
−  前記基地局（２００）が、前記ワイヤレス通信ネットワークのさらなる基地局（２００）を、前記周波数ホップパターンに従って前記ダウンリンク測位基準信号（１０）の第２の部分を送るように構成することと
をさらに含む、
請求項１から３のいずれか一項に記載の方法。
【請求項５】
前記基地局（２００）が、前記周波数ホップパターンを示す構成情報を前記ワイヤレス通信デバイス（１００）および／または前記さらなる基地局（２００）に送る、
請求項４に記載の方法。
【請求項６】
前記周波数ホップパターンが、前記無線インターフェース（１１０）によってサポートされる前記最大帯域幅よりも小さい第１の周波数ホップ距離（Ｄｆ１）と、前記無線インターフェース（１１０）によってサポートされる前記最大帯域幅よりも大きい第２の周波数ホップ距離（Ｄｆ２）とを定義する、
請求項１から５のいずれか一項に記載の方法。
【請求項７】
前記周波数ホップパターンが、前記測位基準信号（１０）の繰返しパターンをさらに定義する、
請求項１から６のいずれか一項に記載の方法。
【請求項８】
前記測位基準信号（１０）が、周波数多重化方式に基づいて多重化され、
前記測位基準信号（１０）の周波数分割多重化のための周波数粒度が、前記ワイヤレス通信デバイス（１００）と前記ワイヤレス通信ネットワークとの間で送信されたワイヤレス通信信号の周波数分割多重化のための周波数粒度よりも細かい、
請求項１から７のいずれか一項に記載の方法。
【請求項９】
前記測位基準信号が、ダウンリンク測位基準信号を含み、前記ワイヤレス通信デバイス（１００）によって受信された、前記受信された測位基準信号（１０）の組み合わせられた評価によって、前記ワイヤレス通信デバイス（１００）が、前記ワイヤレス通信デバイス（１００）についての測位情報を決定する、
請求項１から８のいずれか一項に記載の方法。
【請求項１０】
前記測位情報が、複数の異なる基地局（２００）からの前記ダウンリンク測位基準信号（１０）の到着時間差を含む、
請求項１から９のいずれか一項に記載の方法。
【請求項１１】
前記測位基準信号が、アップリンク基準信号を含み、前記方法は、
−  前記ワイヤレス通信ネットワークの基地局（２００）が、前記ワイヤレス通信デバイス（１００）から前記アップリンク測位基準信号（２０）を受信することと、
−  前記基地局（２００）が、前記ワイヤレス通信ネットワークのさらなる基地局（２００）を、前記ワイヤレス通信デバイス（１００）から前記アップリンク測位基準信号（２０）を受信することと、前記受信されたアップリンク測位基準信号（２０）から導出された情報を前記基地局（２００）に与えることとを行うように構成することと、
−  前記受信されたアップリンク測位基準信号（２０）の組み合わせられた評価と前記さらなる基地局（２００）によって与えられた前記情報とによって、前記基地局（２００）が前記ワイヤレス通信デバイス（１００）についての測位情報を決定することと
を含む、
請求項１から１０のいずれか一項に記載の方法。
【請求項１２】
前記測位情報が、複数の異なる基地局（２００）における前記アップリンク測位基準信号（２０）の到着時間差を含む、
請求項１１に記載の方法。
【請求項１３】
ワイヤレス通信デバイス（１００）であって、
ワイヤレス通信ネットワークに接続するための無線インターフェース（１１０）と、
少なくとも１つのプロセッサ（１４０）とを備え、
前記少なくとも１つのプロセッサ（１４０）が、
−  周波数ホップパターンを構成することであって、前記周波数ホップパターンが、前記周波数ホップパターンによって定義された複数の異なる周波数上で測位基準信号（１０）を受信するまたは送るために、前記ワイヤレス通信デバイス（１００）の無線インターフェース（１１０）を複数の異なる周波数範囲間で切り替えるために適用される、構成すること
を行うように構成され、
前記複数の異なる周波数のうちの少なくともいくつかが、前記ワイヤレス通信デバイス（１００）の前記無線インターフェース（１１０）によってサポートされる最大帯域幅超だけ分離された、
ワイヤレス通信デバイス（１００）。
【請求項１４】
ワイヤレス通信ネットワークのための基地局（２００）であって、前記基地局（２００）が、
ワイヤレス通信デバイス（１００）に接続するための無線インターフェース（２１０）と、
前記ワイヤレス通信ネットワークのさらなる基地局（２００）に接続するためのネットワークインターフェース（２２０）と、
少なくとも１つのプロセッサ（２４０）とを備え、
前記少なくとも１つのプロセッサ（２４０）が、
−  周波数ホップパターンを構成することであって、前記周波数ホップパターンが、前記周波数ホップパターンによって定義された複数の異なる周波数上で測位基準信号（１０）を受信するまたは送るために、前記ワイヤレス通信デバイス（１００）の無線インターフェース（１１０）を複数の異なる周波数範囲間で切り替えるために適用される、構成すること
を行うように構成され、
前記複数の異なる周波数のうちの少なくともいくつかが、前記ワイヤレス通信デバイス（１００）の前記無線インターフェース（１１０）によってサポートされる最大帯域幅超だけ分離された、
基地局（２００）。
【請求項１５】
請求項１４に記載の基地局（２００）と、
ワイヤレス通信デバイス（１００）と
を備える、システム。
【国際調査報告】
2019527362.tif 000021
2019527362.tif 000022
2019527362.tif 000023